(57)【要約】【課題】小型電気機器と表示装置を通信接続して連動させる連動システムにおいて、使用開始時の手間を減らしてユーザーの利便性を向上させる。【解決手段】小型電気機器１と表示装置５は、互いの接続を確立するための通信インターフェース２４・６４をそれぞれ備えており、表示装置５は、表示部５２を用いて小型電気機器１の使用を補助する補助機能を備えている。通信インターフェース２４・６４を介して補助機能を起動させる操作スイッチを小型電気機器１に設ける。操作スイッチは、小型電気機器１の機能部１２を駆動するための駆動スイッチ２１である。表示装置５の補助機能は、表示部５２を鏡として利用可能にするミラー化手段を含む。【選択図】図１
2018182626.tif 000002
【特許請求の範囲】
【請求項１】
人体に対する機能部（１２・３２）を有する小型電気機器（１・２）と、表示部（５２）を有する携帯型の表示装置（５）を連動させる連動システムであって、
小型電気機器（１・２）と表示装置（５）は、互いの接続を確立するための通信インターフェース（２４・６４）をそれぞれ備えており、
表示装置（５）は、表示部（５２）を用いて小型電気機器（１・２）の使用を補助する補助機能を備えており、
通信インターフェース（２４・６４）を介して補助機能を起動させる操作スイッチ（２１）が小型電気機器（１・２）に設けられていることを特徴とする連動システム。
【請求項２】
表示装置（５）の補助機能を起動させる操作スイッチが、小型電気機器（１・２）の機能部（１２・３２）を駆動するための駆動スイッチ（２１）である請求項１に記載の連動システム。
【請求項３】
小型電気機器（１・２）および表示装置（５）の通信インターフェース（２４・６４）が、近距離無線通信に対応した無線インターフェースである請求項１または２に記載の連動システム。
【請求項４】
表示装置（５）の補助機能は、表示部（５２）を鏡として利用可能にするミラー化手段を含む請求項１から３のいずれかひとつに記載の連動システム。
【請求項５】
表示装置（５）の正面（５１）に表示部（５２）とカメラ（５３）が配置されており、
ミラー化手段が、カメラ（５３）で撮影した動画を表示部（５２）にリアルタイムに映すように構成してある請求項４に記載の連動システム。
【請求項６】
表示装置（５）がカメラ（５３）のズーム機能を備える請求項５に記載の連動システム。
【請求項７】
カメラ（５３）のズーム機能が、ユーザーによる小型電気機器（１・２）の操作に連動して制御される請求項６に記載の連動システム。
【請求項８】
カメラ（５３）のズーム機能が、ユーザーによる小型電気機器（１・２）の移動操作に連動して制御される請求項６または７に記載の連動システム。
【請求項９】
カメラ（５３）のズーム機能が、小型電気機器（１・２）の機能部（１２・３２）に正対するユーザーの顔の部位に応じて制御される請求項８に記載の連動システム。
【請求項１０】
カメラ（５３）のズーム機能が、ユーザーによる表示装置（５）の移動操作に連動して制御される請求項６に記載の連動システム。
【請求項１１】
表示装置（５）が、カメラ（５３）により撮影された動画から顔領域を検出する顔認識機能を備えており、
カメラ（５３）のズーム機能が、顔認識機能により認識された顔領域の表情に応じて制御される請求項６に記載の連動システム。
【請求項１２】
表示装置（５）の補助機能は、表示部（５２）に映る顔領域に補助イラスト（７０）を付加するイラスト付加手段を含み、
補助イラストは、機能部（１２・３２）による処理が終わっていないことを示す未処理イラスト（７１）と、機能部（１２・３２）による処理が終わったことを示す処理済イラスト（７２）のうち、少なくとも１つを含み、
イラスト付加手段が、機能部（１２・３２）による処理の進行に応じて、表示部（５２）に映す補助イラスト（７０）を変更する請求項５から１１のいずれかひとつに記載の連動システム。
【請求項１３】
小型電気機器（１）が除毛器であり、
補助イラスト（７０）が、誇張された体毛を表す未処理イラスト（７１）を含み、
イラスト付加手段は、機能部（１２）による除毛処理が開始される前に、表示部（５２）に映る顔領域に未処理イラスト（７１）を付加し、機能部（１２）が所定回数通過した顔領域の部分から順に未処理イラスト（７１）を消去する請求項１２に記載の連動システム。
【請求項１４】
小型電気機器（２）が顔肌用の美容器具であり、
補助イラスト（７０）が、表示部（５２）に映る顔領域の見た目の美しさを変化させるものであり、
イラスト付加手段は、機能部（３２）による美容処理が進行するのに従って、顔領域の見た目が美しくなるように、顔領域に付加する補助イラスト（７０）を変更する請求項１２に記載の連動システム。
【請求項１５】
表示装置（５）の補助機能は、表示部（５２）に映る動画を静止させる動画静止手段を含む請求項５から１４のいずれかひとつに記載の連動システム。
【請求項１６】
小型電気機器（１・２）の機能部（１２・３２）の停止操作に連動して、動画静止手段が表示部（５２）に映る動画を静止させる請求項１５に記載の連動システム。
【請求項１７】
動画静止手段が動画を静止させてから所定時間が経過すると、表示装置（５）の表示部（５２）が消灯する請求項１６に記載の連動システム。
【請求項１８】
小型電気機器（１）が電気かみそりであり、
通常姿勢における表示装置（５）の正面（５１）の上部にカメラ（５３）が配置されており、
表示装置（５）の補助機能は、表示装置（５）の上下反転をユーザーに指示する反転指示手段を含む請求項５から１３のいずれかひとつに記載の連動システム。
【請求項１９】
反転指示手段が、上下逆さまの反転文字を表示部（５２）に表示させるものである請求項１８に記載の連動システム。
【請求項２０】
反転指示手段が、上下反転を指示する文字または記号を表示部（５２）に表示させるものである請求項１８に記載の連動システム。
【請求項２１】
反転指示手段が、表示部（５２）に映る動画を上下反転させるものである請求項１８に記載の連動システム。
【請求項２２】
表示装置（５）の補助機能は、小型電気機器（１・２）の機器状態を表示部（５２）に表示させる機器状態報知手段を含む請求項１から２１のいずれかひとつに記載の連動システム。
【請求項２３】
表示部（５２）に表示される機器状態は、小型電気機器（１・２）の電池残量を含む請求項２２に記載の連動システム。
【請求項２４】
小型電気機器（１）が電気かみそりであり、
表示部（５２）に表示される機器状態は、機能部（１２）を構成する切断刃（１３・１４）の交換時期を含む請求項２２または２３に記載の連動システム。
【請求項２５】
小型電気機器（１）が電気かみそりであり、
表示部（５２）に表示される機器状態は、機能部（１２）の洗浄時期を含む請求項２２から２４のいずれかひとつに記載の連動システム。
【請求項２６】
小型電気機器（１）が電気かみそりであり、
表示部（５２）に表示される機器状態は、機能部（１２）に作用する負荷の大きさを含む請求項２２から２５のいずれかひとつに記載の連動システム。
【請求項２７】
表示部（５２）に表示される機器状態は、小型電気機器（１・２）の連続使用時間を含む請求項２２から２６のいずれかひとつに記載の連動システム。
【請求項２８】
表示装置（５）がバイブレータ（５９）を備えており、
機器状態報知手段は、小型電気機器（１・２）の機器状態が所定の条件を満たした場合にバイブレータ（５９）を駆動させる請求項２２から２７のいずれかひとつに記載の連動システム。
【請求項２９】
表示装置（５）が照明装置（５６）を備えており、
補助機能の起動時に照明装置（５６）が点灯する請求項１から２８のいずれかひとつに記載の連動システム。
【請求項３０】
表示装置（５）の補助機能は、通信インターフェース（２４・６４）を介して小型電気機器（１・２）の機能部（１２・３２）を制御する電気機器制御手段を含む請求項１から２９のいずれかひとつに記載の連動システム。
【請求項３１】
電気機器制御手段は、小型電気機器（１・２）の機能部（１２・３２）を駆動状態に維持するロック機能を含む請求項３０に記載の連動システム。
【請求項３２】
電気機器制御手段は、表示装置（５）の変位操作に連動して、小型電気機器（１・２）の機能部（１２・３２）の出力を制御する請求項３０または３１に記載の連動システム。
【請求項３３】
小型電気機器（１）が、モーター（１６）を駆動源とする電気かみそりであり、
モーター（１６）の回転数が電気機器制御手段により制御される請求項３２に記載の連動システム。
【請求項３４】
表示装置（５）の補助機能は、小型電気機器（１・２）の取扱説明書を表示部（５２）に表示させる説明書表示手段を含む請求項１から３３のいずれかひとつに記載の連動システム。
【発明の詳細な説明】
【技術分野】
【０００１】
本発明は、人体に適用される電気かみそりや美容器具などの小型電気機器と、携帯通信端末に代表される画像表示が可能な携帯型の表示装置を、通信インターフェースを介して接続して連動させる連動システムに関する。表示装置は、例えば、小型電気機器を使用するユーザーの顔を表示部に映すミラー化手段など、ユーザーによる小型電気機器の使用を補助する補助機能を備える。
【背景技術】
【０００２】
この種の小型電気機器と表示装置を通信接続して連動させることは、例えば本出願人が先に提案した特許文献１に開示されている。そこでは、小型電気機器としてのスキンケア装置が通信用の受信部を備えており、表示装置としてのスマートフォンが通信用の送信部を備えている。スマートフォンには、スキンケア装置の電極部（作動部）を制御するためのスイッチが配設されており、ユーザーは、スキンケア装置にて施療しながらスマートフォンのスイッチを操作して、同装置のスキンケア動作の種類や強弱レベルを選択できる。
【０００３】
また、特許文献２に開示された携帯電話（表示装置）は、ユーザーの顔をディスプレイ（表示部）に映して、ディスプレイを鏡的に利用可能にするミラー化手段を備えている。そこでのミラー化手段は、携帯電話に内蔵されるマイクロコンピュータと、コンテンツ提供機関から通信ネットワークを介して携帯電話にダウンロードしたミラー化専用プログラムと、携帯電話が備えるカメラやハーフミラーなどのハード構成部品が複合的に機能することにより構成されるものである。
【先行技術文献】
【特許文献】
【０００４】
【特許文献１】特開２０１４−０１４５１６号公報（段落番号０１９９〜０２０１、図２０）
【特許文献２】特開２００４−１７８１４６号公報（段落番号００１２、図４）
【発明の概要】
【発明が解決しようとする課題】
【０００５】
電気かみそりや美容器具などの小型電気機器の使用中に、同機器の出力レベルなどを変更する場合、多くのユーザーは、小型電気機器を顔肌から一旦離して視界に入れ、同機器の操作部を操作する。一方、特許文献１のように小型電気機器と表示装置を通信接続して、表示装置の側から小型電気機器を操作できるようにすると、同機器を顔肌に当てたまま出力レベルなどを変更することができ、同機器を顔肌から一旦離す手間を省略できて便利である。しかし、両者の併用を開始するにあたり、両者をそれぞれ個別に起動する必要があり、この点が煩わしく改善の余地がある。
【０００６】
鏡の無い外出先で電気かみそりや美容器具などの小型電気機器を使用する場合、手鏡があれば非常に便利であるが、小型電気機器と共に手鏡を常に携行するのは煩わしいと感じるユーザーも少なくない。特に、電気かみそりのメインユーザーである男性は、女性に比べて手鏡を携行する習慣があまり身に付いておらず、手鏡を携行することに煩わしさを感じやすい。特許文献２に記載のミラー化手段を備える携帯電話は、手鏡の代用となり、手鏡を携行する煩わしさを解消し得るものである。しかし、ミラー化手段と小型電気機器の連動について、特許文献２には一切記載されておらず、両者をそれぞれ個別に起動する必要がある点は、特許文献１と同様である。
【０００７】
本発明の目的は、小型電気機器と表示装置を通信接続して連動させる連動システムにおいて、使用開始時の手間を減らしてユーザーの利便性を向上させることにある。
【課題を解決するための手段】
【０００８】
本発明は、人体に対する機能部１２・３２を有する小型電気機器１・２と、表示部５２を有する携帯型の表示装置５を連動させる連動システムを対象とする。小型電気機器１・２と表示装置５は、互いの接続を確立するための通信インターフェース２４・６４をそれぞれ備えており、表示装置５は、表示部５２を用いて小型電気機器１・２の使用を補助する補助機能を備えている。通信インターフェース２４・６４を介して補助機能を起動させる操作スイッチ２１が小型電気機器１・２に設けられていることを特徴とする。
【０００９】
本発明において補助機能の起動とは、小型電気機器１・２との連動に特化した専用のオペレーティングシステムが搭載された表示装置５においては、表示装置５自体の起動のことであり、補助機能を発揮する補助アプリがアプリケーションプログラムの１つとして格納された携帯通信端末などの表示装置５においては、補助アプリの起動のことである。補助アプリは、フォアグラウンドで動作する時以外はバックグラウンドで待機する常駐型のアプリケーションプログラムであってもよく、この場合の補助アプリの起動とは、小型電気機器１・２の操作スイッチ２１が操作されたことを検知した際に、表示部５２にプッシュ通知のみを表示させる制御を含む概念である。
【００１０】
表示装置５の補助機能を起動させる操作スイッチが、小型電気機器１・２の機能部１２・３２を駆動するための駆動スイッチ２１である形態を採ることができる。
【００１１】
小型電気機器１・２および表示装置５の通信インターフェース２４・６４が、近距離無線通信に対応した無線インターフェースである形態を採ることができる。本発明における近距離無線通信の一例としては、２．４ＧＨｚの周波数帯を利用するBluetooth（登録商標）、Ｗｉ−Ｆｉ、ＺｉｇＢｅｅ（登録商標）などを挙げることができるが、消費電力が比較的小さい点や、表示装置５の一種であるスマートフォンの多くが対応している点から、Bluetoothが最も好ましい。
【００１２】
表示装置５の補助機能は、表示部５２を鏡として利用可能にするミラー化手段を含むことができる。
【００１３】
表示装置５の正面５１に表示部５２とカメラ５３を配置し、ミラー化手段を、カメラ５３で撮影した動画を表示部５２にリアルタイムに映すように構成することができる。
【００１４】
表示装置５がカメラ５３のズーム機能を備える形態を採ることができる。ズーム機能によるズームの方法は、光学ズームとデジタルズームのどちらであってもよく、その両方であってもよい。
【００１５】
カメラ５３のズーム機能を、ユーザーによる小型電気機器１・２の操作に連動して制御することができる。
【００１６】
カメラ５３のズーム機能を、ユーザーによる小型電気機器１・２の移動操作に連動して制御することができる。
【００１７】
カメラ５３のズーム機能を、小型電気機器１・２の機能部１２・３２に正対するユーザーの顔の部位に応じて制御することができる。
【００１８】
カメラ５３のズーム機能を、ユーザーによる表示装置５の移動操作に連動して制御することができる。
【００１９】
表示装置５が、カメラ５３により撮影された動画から顔領域を検出する顔認識機能を備えており、カメラ５３のズーム機能が、顔認識機能により認識された顔領域の表情に応じて制御される形態を採ることができる。
【００２０】
表示装置５の補助機能は、表示部５２に映る顔領域に補助イラスト７０を付加するイラスト付加手段を含み、補助イラストは、機能部１２・３２による処理が終わっていないことを示す未処理イラスト７１と、機能部１２・３２による処理が終わったことを示す処理済イラスト７２のうち、少なくとも１つを含み、イラスト付加手段が、機能部１２・３２による処理の進行に応じて、表示部５２に映す補助イラスト７０を変更する形態を採ることができる。
【００２１】
小型電気機器１が除毛器であり、補助イラスト７０が、誇張された体毛を表す未処理イラスト７１を含み、イラスト付加手段は、機能部１２による除毛処理が開始される前に、表示部５２に映る顔領域に未処理イラスト７１を付加し、機能部１２が所定回数通過した顔領域の部分から順に未処理イラスト７１を消去する形態を採ることができる。本発明において除毛器とは、電気かみそりや脱毛器など、肌面から体毛を除去するための小型電気機器の総称である。なお、未処理イラスト７１を消去した後に、除毛処理が終わったことを表す処理済イラスト７２を付加してもよい。
【００２２】
小型電気機器２が顔肌用の美容器具であり、補助イラスト７０が、表示部５２に映る顔領域の見た目の美しさを変化させるものであり、イラスト付加手段は、機能部３２による美容処理が進行するに従って、顔領域の見た目が美しくなるように、顔領域に付加する補助イラスト７０を変更する形態を採ることができる。ここでの補助イラスト７０は、見た目の美しさを上げるものと下げるもののどちらであってもよく、その両方であってもよい。
【００２３】
表示装置５の補助機能は、表示部５２に映る動画を静止させる動画静止手段を含むことができる。
【００２４】
小型電気機器１・２の機能部１２・３２の停止操作に連動して、動画静止手段が表示部５２に映る動画を静止させることができる。
【００２５】
動画静止手段が動画を静止させてから所定時間が経過すると、表示装置５の表示部５２が消灯する形態を採ることができる。
【００２６】
小型電気機器１が電気かみそりであり、通常姿勢における表示装置５の正面５１の上部にカメラ５３が配置されている。表示装置５の補助機能は、表示装置５の上下反転をユーザーに指示する反転指示手段を含むことができる。
【００２７】
反転指示手段が、上下逆さまの反転文字を表示部５２に表示させるものである形態を採ることができる。
【００２８】
反転指示手段が、上下反転を指示する文字または記号を表示部５２に表示させるものである形態を採ることができる。
【００２９】
反転指示手段が、表示部５２に映る動画を上下反転させるものである形態を採ることができる。
【００３０】
表示装置５の補助機能は、小型電気機器１・２の機器状態を表示部５２に表示させる機器状態報知手段を含むことができる。
【００３１】
表示部５２に表示される機器状態は、小型電気機器１・２の電池残量を含むことができる。
【００３２】
小型電気機器１が電気かみそりであり、表示部５２に表示される機器状態は、機能部１２を構成する切断刃１３・１４の交換時期を含むことができる。
【００３３】
小型電気機器１が電気かみそりであり、表示部５２に表示される機器状態は、機能部１２の洗浄時期を含むことができる。
【００３４】
小型電気機器１が電気かみそりであり、表示部５２に表示される機器状態は、機能部１２に作用する負荷の大きさを含むことができる。
【００３５】
表示部５２に表示される機器状態は、小型電気機器１・２の連続使用時間を含むことができる。
【００３６】
表示装置５がバイブレータ５９を備えており、機器状態報知手段は、小型電気機器１・２の機器状態が所定の条件を満たした場合にバイブレータ５９を駆動させる形態を採ることができる。所定の条件を満たした場合の一例としては、小型電気機器１・２の電池残量が僅かになった場合、機能部１２の交換時期や洗浄時期が近付いた場合、および、機能部１２に作用する負荷が過剰になった場合などを挙げることができる。
【００３７】
表示装置５が照明装置５６を備えており、補助機能の起動時に照明装置５６が点灯する形態を採ることができる。
【００３８】
表示装置５の補助機能は、通信インターフェース２４・６４を介して小型電気機器１・２の機能部１２・３２を制御する電気機器制御手段を含むことができる。
【００３９】
電気機器制御手段は、小型電気機器１・２の機能部１２・３２を駆動状態に維持するロック機能を含むことができる。
【００４０】
電気機器制御手段は、表示装置５の変位操作に連動して、小型電気機器１・２の機能部１２・３２の出力を制御することができる。
【００４１】
小型電気機器１が、モーター１６を駆動源とする電気かみそりであり、モーター１６の回転数が電気機器制御手段により制御される形態を採ることができる。
【００４２】
表示装置５の補助機能は、小型電気機器１・２の取扱説明書を表示部５２に表示させる説明書表示手段を含むことができる。
【発明の効果】
【００４３】
本発明に係る連動システムでは、通信インターフェース２４・６４を介して小型電気機器１・２と表示装置５を接続し、ユーザーが小型電気機器１・２の操作スイッチ２１を操作すると、表示装置５において小型電気機器１・２の使用を補助する補助機能が起動するようにした。このように、小型電気機器１・２の側から表示装置５の補助機能を起動できるようにすると、ユーザーが小型電気機器１・２と表示装置５の併用を開始する際の表示装置５の操作を簡略化して、ユーザーの利便性を向上させることができる。すなわち、小型電気機器１との連動に特化した専用のオペレーティングシステムが搭載された表示装置５においては、表示装置５を操作することなく、小型電気機器１・２の側から補助機能の起動操作を行うだけで、補助機能による表示を表示部５２に表示させることができる。また、補助機能を発揮する常駐型の補助アプリがアプリケーションプログラムの１つとして格納されて、当該補助アプリがバックグラウンドで待機している携帯通信端末などの表示装置５においては、小型電気機器１・２の操作スイッチ２１が操作されたことを検知した際に、補助アプリが表示部５２上に画面の切り換えを促すプッシュ通知を表示させる。これにより、表示装置５の側では、表示部５２をワンプッシュで補助アプリの画面に切り換えるだけの簡単な操作を行うだけでよい。
【００４４】
表示装置５の補助機能を起動させる操作スイッチが、小型電気機器１・２の機能部１２・３２を駆動するための駆動スイッチ２１であると、ユーザーは機能部１２・３２の駆動と補助機能の起動を同時に、しかもワンタッチ（駆動スイッチ２１に触れてから１つの操作）で行えるので、ユーザーの利便性が向上する。
【００４５】
小型電気機器１・２および表示装置５の通信インターフェース２４・６４が、近距離無線通信に対応した無線インターフェースであると、これが有線インターフェースである場合に不可欠な通信ケーブルを省略できるので、通信ケーブルが物に引っ掛かるなどの不都合や通信ケーブルを携行する煩わしさを解消できる。
【００４６】
表示装置５の補助機能が、表示部５２を鏡として利用可能にするミラー化手段を含んでいると、小型電気機器１・２の使用時に表示装置５を手鏡の代用として利用できるので、外出時に小型電気機器１・２と共に手鏡を常に携行する煩わしさを解消できる。
【００４７】
カメラはスマートフォンなど多くの表示装置５に予め備わっている。従ってミラー化手段が、カメラ５３で撮影した動画を表示部５２にリアルタイムに映すように構成してあると、表示装置５の既存のハードウェアを利用することで、連動システムの全体コストを削減できる。
【００４８】
表示装置５がカメラ５３のズーム機能を備えていると、ユーザーが顔をカメラ５３に近付けたり遠ざけたりしなくても、ズーム機能を制御してカメラ５３のズーム倍率を変更するだけで、表示部５２に映る顔の範囲を変更できるようにして、ユーザーの利便性を向上させることができる。
【００４９】
小型電気機器１・２と手鏡の代わりの表示装置５とを同時に使用する場合、多くのユーザーは利き手で小型電気機器１・２を持つため、表示装置５よりも小型電気機器１・２を操作しやすい状態にある。従って、ユーザーによる小型電気機器１・２の操作に連動してカメラ５３のズーム機能が制御されるようにすると、ユーザーはカメラ５３のズーム倍率をスムーズに変更できる。
【００５０】
電気かみそりや美容器具などの小型電気機器１・２を通常の方法で使用する場合は、顔肌に沿って小型電気機器１・２を移動させるなどの移動操作を伴う。従って、カメラ５３のズーム機能が小型電気機器１・２の移動操作に連動して制御されるようにすると、ユーザーがズーム制御のための特定の操作を行わなくても、ズーム倍率が自動的に変更されるので、ユーザーによるズーム操作の手間を省くことができる。
【００５１】
電気かみそりや美容器具などの小型電気機器１・２による顔肌の処理は、顔の全体に対して一様に行われるものではなく、比較的大まかに処理される部位と、逆に慎重に処理される部位とが存在する。従って、カメラ５３のズーム機能を、小型電気機器１・２の機能部１２・３２に正対するユーザーの顔の部位、すなわち、ユーザーが機能部１２・３２で処理しようとする顔の部位に応じて制御すると、カメラ５３のズーム倍率を当該部位に適した値に自動的に変更することが可能となり、ユーザーの利便性がさらに向上する。
【００５２】
表示装置５の移動操作に連動してカメラ５３のズーム機能を制御すると、ユーザーは表示装置５を移動させるだけの簡単な操作で、カメラ５３のズーム倍率を変更できる。小型電気機器１・２と手鏡の代わりの表示装置５とを同時に使用する場合は、表示装置５を利き手と反対の手で持つことが多いが、表示装置５を移動操作するだけであれば、利き手と反対の手であっても容易にズーム操作を行える。
【００５３】
カメラ５３のズーム機能が、顔認識機能により認識された顔領域の表情に応じて制御されるようにすると、ユーザーはカメラ５３に映る表情を変えるだけで、カメラ５３のズーム倍率を変更できる。従って、ズーム倍率を変更するための小型電気機器１・２または表示装置５の操作を省略して、ユーザーの利便性を向上させることができる。
【００５４】
表示部５２に映る顔領域に、未処理イラスト７１や処理済イラスト７２などの補助イラスト７０を付加すると、単調になりがちな機能部１２・３２による処理にゲーム的な要素を加えることができ、ユーザーは機能部１２・３２による処理を楽しみながら行えるようになる。また、表示部５２の顔領域から全ての未処理イラスト７１が消えるまで、あるいは、被処理部分の全体に処理済イラスト７２が付加されるまで、機能部１２・３２による処理を続けることをユーザーに促して、部分的な処理不足が生じることを防止できる。
【００５５】
補助イラスト７０が誇張された体毛を表す未処理イラスト７１を含むものとし、機能部１２による除毛処理が開始される前に、表示部５２に映る顔領域に未処理イラスト７１を付加し、機能部１２が所定回数通過した顔領域の部分から順に未処理イラスト７１を消去する。これによれば、ユーザーは除毛処理を楽しみながら行うことができ、しかも、顔領域から全ての未処理イラスト７１が消去されるまで除毛処理を続けることをユーザーに促して、部分的な処理不足が生じることを防止できる。ユーザーは、表示部５２から全ての未処理イラスト７１が消去されたときに、顔の全体の除毛処理が終わったことを確認できる。
【００５６】
補助イラスト７０が顔領域の見た目の美しさを変化させるものとし、機能部３２による美容処理が進行するに従って、顔領域の見た目が美しくなるように、顔領域に付加する補助イラスト７０を変更する。これによれば、ユーザーは美容処理を楽しみながら行うことができ、しかも、顔領域の見た目が美しくなるまで美容処理を続けることをユーザーに促して、部分的な処理不足が生じることを防止できる。
【００５７】
表示部５２に映る動画を静止させる動画静止手段によれば、ユーザーはチェックしたい顔の部位をカメラ５３に映した状態で動画を静止させ、静止状態の表示部５２を顔の正面などの目視し易い位置に移動させることで、当該部位のチェックを容易に行うことができる。特に、通常の手鏡ではチェックし難い顎下などの部位であっても、容易にそのチェックを行うことができる。
【００５８】
表示部５２に映る動画を静止させてチェックを行う際は、機能部１２・３２による処理を中断するのが普通であり、チェックの間も機能部１２・３２を駆動し続けることは、消費電力を増大させるなど無駄が多い。本発明のように機能部１２・３２の停止操作に連動して動画を静止させると、動画の静止中に機能部１２・３２を停止させて、上記の無駄が生じるのを防止できる。また、動画を静止させる操作と機能部１２・３２を停止させる操作を個別に行うことを不要として、ユーザーの手間を削減することができる。さらに、動画の静止中に機能部１２・３２を停止させると、ユーザーは機能部１２・３２の駆動音を気にすることなく、落ち着いた状態で静止画をチェックできる。
【００５９】
動画を静止させてから所定時間が経過すると、表示装置５の表示部５２が消灯するようにしていると、ユーザーが小型電気機器１・２の使用を終了してこれを停止させた後、表示部５２を消灯しなかった場合に、表示部５２を点灯し続ける無駄を防止して、表示装置５の消費電力を削減することができる。
【００６０】
表示装置５の上部にカメラ５３が位置する通常姿勢よりも、表示装置５の下部にカメラ５３が位置する反転姿勢とした方が、ひげが生える顔の下部、特に顎下部分を撮影しやすくなる。そのため、ひげ剃りの際に表示部５２を手鏡のように利用する場合は、表示装置５を反転姿勢とする方が好ましい。表示装置５の上下反転をユーザーに指示する反転指示手段によれば、ひげ剃りの際に表示装置５を反転姿勢とするようにユーザーに働きかけて、顎下部分などのひげ剃りを快適に行わせることができる。
【００６１】
反転指示手段として、上下逆さまの反転文字を表示部５２に表示させると、表示装置５の上下反転が必要であることをユーザーに対して直感的に理解させて、より確実に反転姿勢を採らせることができる。
【００６２】
反転指示手段として、上下反転を指示する文字や記号を表示部５２に表示させると、表示装置５の上下反転が必要であることをユーザーに対して明白に伝えて、より確実に反転姿勢を採らせることができる。
【００６３】
反転指示手段として、表示部５２に映る動画を上下反転させると、通常姿勢のままでは表示部５２が手鏡として使い物にならないため、ユーザーが反転姿勢を採ることがより確実になる。
【００６４】
小型電気機器１・２の機器状態を表示装置５の表示部５２に表示すると、ユーザーは、小型電気機器１・２を目視し難い同機器１・２の使用中においても、表示部５２を目視して小型電気機器１・２の機器状態を容易に確認できる。
【００６５】
小型電気機器１・２の電池残量を表示部５２に表示すると、ユーザーは小型電気機器１・２の使用中において、その電池残量を容易かつ頻繁に確認できる。特に、電池１８・３８の充電や交換が難しい外出先において、電池残量が少ない場合に、そのことをユーザーに即座に知らせて、電池残量が無くなる前に小型電気機器１・２の使用を完了するようユーザーに促すことができる。
【００６６】
切断刃１３・１４の交換時期を表示部５２に表示すると、交換時期が近いことをユーザーに確実に知らせて、切断刃１３・１４の早期の交換を促すことができる。従って、ユーザーが切れ味の低下した切断刃１３・１４を使用し続けるという事態の発生を抑えることができる。
【００６７】
機能部１２の洗浄時期を表示部５２に表示すると、洗浄時期が近いことをユーザーに確実に知らせて、機能部１２の早期の洗浄を促すことができる。これにより、機能部１２を衛生的な状態に維持して、有機物の酸化や発酵に伴う異臭の発生を抑えることができる。また、機能部１２に過剰に溜まった毛屑等は、モーター１６の負荷が増大する原因となるため、機能部１２を早期に洗浄して毛屑等を取り除くと、モーター１６の寿命を改善することができる。
【００６８】
ユーザーが機能部１２を肌面に押し付ける力の強さと、機能部１２に作用する負荷の大きさには相関関係があり、押付力が強くなるほど負荷も大きくなる。従って、機能部１２の負荷の大きさを表示部５２に表示すると、その時の押付力の強さをユーザーに知らせることができる。ユーザーは、負荷の大きさをチェックしながらひげ剃りを行うことで、機能部１２の押付力を常に適度な強さに維持して、肌面にかかる負担を小さくすることができる。
【００６９】
小型電気機器１・２を長時間連続して使用することは、発熱が大きくなるなどの不都合を招くことがある。従って、小型電気機器１・２の連続使用時間を表示部５２に表示すると、長時間の連続使用を避けるようにユーザーに注意を促すことができる。
【００７０】
小型電気機器１・２の機器状態が所定の条件を満たした場合にバイブレータ５９を駆動させると、表示部５２でユーザーの視覚に訴えるだけでなく、バイブレータ５９で触覚あるいは聴覚にも訴えることができるので、所定の条件を満たしたことをユーザーに対してより確実に知らせることができる。
【００７１】
補助機能の起動時に、表示装置５が備える照明装置５６を点灯させると、補助機能が起動したことをユーザーに明確に知らせることができる。なお、表示装置５の同じ側にカメラ５３と照明装置５６を配置すると、薄暗い場所で小型電気機器１・２と表示装置５を使用する場合に、カメラ５３の撮影対象を照明装置５６で照らすことができる。従って、小型電気機器１・２と表示装置５を使用する場所の明るさにかかわらず、表示部５２に鮮明な動画を映して、ユーザーの利便性を向上させることができる。
【００７２】
表示装置５の側から通信インターフェース２４・６４を介して小型電気機器１・２の機能部１２・３２を制御できるようにすると、ユーザーは小型電気機器１・２と表示装置５の両方から機能部１２・３２を制御操作できるので、ユーザーの利便性が向上する。
【００７３】
小型電気機器１・２の機能部１２・３２を駆動状態に維持するロック機能によれば、ユーザーによる小型電気機器１・２の誤操作や、ユーザーの意思に反するタイマーの作動により、機能部１２・３２が停止するのを解消できるので、ユーザーはより快適に小型電気機器１・２を使用できる。
【００７４】
表示装置５の変位操作に連動して、小型電気機器１・２の機能部１２・３２の出力を制御できるようにすると、ユーザーは、表示装置５をボタン操作する場合などに比べて、より素早く機能部１２・３２の出力を制御できるので、ユーザーの利便性が向上する。
【００７５】
表示装置５の変位操作に連動して、電気かみそり１の駆動源であるモーター１６の回転数を制御できるようにすると、ユーザーは、例えば鼻下のひげを剃るときはモーター１６を低速にするなど、機能部１２が正対する部位に応じて、ユーザーの意思でモーター１６の回転数を素早く変更できるので、ユーザーの利便性がより向上する。
【００７６】
小型電気機器１・２の取扱説明書を表示部５２に表示させる説明書表示手段によれば、ユーザーは、小型電気機器１・２の使い方などを確認したい場合に、取扱説明書を直ちに表示部５２に表示させて、これを読むことができる。取扱説明書の冊子を持ち出す手間を省いて、ユーザーの利便性を向上させることができる。
【図面の簡単な説明】
【００７７】
【図１】本発明の実施例１に係る連動システムを構成する電気かみそりとスマートフォンの概略図である。
【図２】電気かみそりとスマートフォンの制御系のブロック図である。
【図３】補助アプリの動画静止手段および照明制御手段による制御手順を示すフローチャートである。
【図４】スマートフォンの保護プログラムによる制御手順を示すフローチャートである。
【図５】電気かみそりとスマートフォンが連動する状況の一例を示すタイミングチャートである。
【図６】電気かみそりとスマートフォンが連動する状況の一例を示すタイミングチャートである。
【図７】電気かみそりとスマートフォンが連動する状況の一例を示すタイミングチャートである。
【図８】ユーザーの顔と電気かみそりをディスプレイに映したスマートフォンを示す図である。
【図９】ユーザーの顔に対するスマートフォンの位置と、スマートフォンの正面の角度との関係を示す図である。
【図１０】ディスプレイに映るユーザーの顔に補助イラストを付加した状態を示す図である。
【図１１】反転指示手段の動作を示す図である。
【図１２】反転指示手段の別の動作を示す図である。
【図１３】反転指示手段のさらに別の動作を示す図である。
【図１４】ディスプレイにおける各表示と各ボタンなどの配置を示す図である。
【図１５】ディスプレイにおける各表示と各ボタンなどの別の配置を示す図である。
【図１６】説明書表示に切り換わったディスプレイを示す図である。
【図１７】説明書表示手段による制御手順を示すフローチャートである。
【図１８】電気かみそりとスマートフォンが連動する状況の一例を示すタイミングチャートである。
【図１９】本発明の実施例２に係る連動システムを構成する電気かみそりとスマートフォンの概略図である。
【図２０】本発明の実施例３に係る連動システムを構成する美容器具とスマートフォンの概略図である。
【発明を実施するための形態】
【００７８】
（実施例１）  本発明を電気かみそりとスマートフォンの連動システムに適用した実施例１を、図１ないし図１８を用いて説明する。本実施例における上下左右とは、図１に示す交差矢印と、各矢印の近傍に表記した上下左右の表示に従う。
【００７９】
図１および図２において電気かみそり（小型電気機器）１は、グリップを兼ねる縦長の本体ケース１０と、本体ケース１０の上部で支持されるかみそりヘッド１１とを備えており、かみそりヘッド１１の上部には、顔肌（人体）に対する機能部１２を構成する外刃（切断刃）１３と内刃（切断刃）１４が配置されている。本体ケース１０の表面には、内方へ押し込み可能なスイッチボタン１５が設けられており、本体ケース１０の内部には、内刃１４の駆動源としてのモーター１６と、縦長の制御基板１７と、電気かみそり１の全体の電力源である二次電池（電池）１８とが収容されている。制御基板１７には、スイッチボタン１５で操作される電源投入用の駆動スイッチ（操作スイッチ）２１と、電気かみそり１の姿勢を検出するための加速度センサ２２およびジャイロセンサ２３と、Bluetoothの通信規格で動作する通信インターフェース２４と、これらを含む電気かみそり１の全体を制御する制御部２５などが実装されている。なお、駆動スイッチ（操作スイッチ）２１はプッシュ式に限らず、スライド式であってもよい。
【００８０】
スマートフォン（表示装置）５は、上下寸法が左右寸法より大きい薄型の筐体５０を備えており、筐体５０の正面５１には、その大部分を占めるタッチパネル式のディスプレイ（表示部）５２が配置されている。正面５１の上部の左右中央にはカメラ５３とスピーカ５４が配置されており、これら両者５３・５４の右方にＬＥＤ（照明装置）５６が配置されている。筐体５０の内部には、縦長の制御基板５７と、バイブレータ５９と、スマートフォン５の全体の電力源である不図示の電池パックとが収容されている。制御基板５７には、基地局と通信するための無線インターフェースに加えて、各種のプログラムやデータを格納するメモリ６１と、スマートフォン５の姿勢を検出するための加速度センサ６２およびジャイロセンサ６３と、Bluetoothの規格で動作する通信インターフェース６４と、これらを含むスマートフォン５の全体を制御する制御部６５などが実装されている。
【００８１】
スマートフォン５のメモリ６１には、カメラ５３が撮影した動画をディスプレイ５２に映すためのカメラプログラムが格納されている。カメラプログラムには、カメラ５３が撮影する動画を拡大・縮小するズーム機能と、カメラ５３が撮影した動画から顔領域を検出する顔認識機能とが含まれる。ズーム機能によるズームの方法は、光学ズームとデジタルズームのどちらであってもよく、その両方であってもよい。
【００８２】
またメモリ６１には、ユーザーによる電気かみそり１の使用を補助するアプリケーションプログラムである補助アプリが格納されている。補助アプリは、電気かみそり１のメーカーによって提供されており、同メーカーが運営するサーバーからインターネットを経由してスマートフォン５にダウンロードすることができる。補助アプリは、ディスプレイ５２を鏡として利用可能にするミラー化手段と、ディスプレイ５２に映る動画を静止させる動画静止手段と、ＬＥＤ５６の点灯状態を制御する照明制御手段とを備える。また補助アプリは、カメラ５３のズーム機能を制御するズーム制御手段と、ディスプレイ５２に映る顔領域に補助イラスト７０（図１０参照）を付加するイラスト付加手段と、スマートフォン５の上下反転をユーザーに指示する反転指示手段とを備える。さらに補助アプリは、電気かみそり１の機器状態をディスプレイ５２に表示させる機器状態報知手段と、電気かみそり１を制御するための制御信号を制御部２５へ送信する電気機器制御手段と、ディスプレイ５２に電気かみそり１の取扱説明書を表示させる説明書表示手段などを備える。この補助アプリは常駐型のアプリケーションプログラムであり、電気かみそり１の駆動スイッチ２１のオン操作に連動して動作を開始するまでは、バックグラウンドで待機状態になっている。
【００８３】
（ミラー化手段）
ミラー化手段は、メモリ６１に格納されたカメラプログラムを起動させて、カメラ５３による撮影を開始し、カメラ５３が撮影した動画をディスプレイ５２に映し出す。カメラプログラムの実行中は、スマートフォン５の正面５１に正対するユーザーの顔がカメラ５３により撮影されて、ディスプレイ５２に映し出されることから、ユーザーはディスプレイ５２をあたかも鏡のように使用することができる。ミラー化手段は補助アプリの中核をなすものであり、補助アプリの起動と同時に動作を開始する。
【００８４】
（動画静止手段）
動画静止手段は、ミラー化手段の動作中に、ユーザーの操作に従いディスプレイ５２に映る動画を静止させる。具体的には、電気かみそり１の駆動中にユーザーが駆動スイッチ２１をオフ操作すると、動画静止手段はディスプレイ５２に映る動画を静止させ、ユーザーが駆動スイッチ２１を再びオン操作すると、動画静止手段は動画の静止状態を解除する。なお、駆動スイッチ２１が操作されたことは、電気かみそり１の制御部２５から通信インターフェース２４・６４を介してスマートフォン５に伝送される。ユーザーは、チェックしたい顔の部位をカメラ５３に映した状態で、駆動スイッチ２１をオフ操作して動画を静止させ、静止状態のディスプレイ５２を顔の正面などの目視し易い位置に移動させることで、当該部位のチェックを容易に行うことができる。
【００８５】
（照明制御手段）
照明制御手段は、電気かみそり１とスマートフォン５の接続が確立した状態において、スマートフォン５のＬＥＤ５６を点灯させる制御を行う。ＬＥＤ５６は複数の点灯パターンを備えており、本実施例では、電気かみそり１の駆動時（ディスプレイ５２に動画が映る状態）にＬＥＤ５６を第１の点灯パターンで点灯させ、電気かみそり１の停止時（ディスプレイ５２の動画の静止状態）にＬＥＤ５６を第２の点灯パターンで点灯させるようにした。また本実施例では、第１の点灯パターンを常時点灯状態とし、第２の点灯パターンを同色の点滅状態としたが、これ以外に例えば、両点灯パターンを常時点灯状態とし、その色調（発光色）を異ならせてもよい。本実施例では、スマートフォン５の同じ側（正面５１）にカメラ５３とＬＥＤ５６を配置したので、薄暗い場所で電気かみそり１とスマートフォン５を使用する場合に、カメラ５３の撮影対象すなわちユーザーの顔をＬＥＤ５６で照らすことができる。従って、電気かみそり１とスマートフォン５を使用する場所の明るさにかかわらず、ディスプレイ５２に常に鮮明にユーザーの顔を映して、ユーザーの利便性を向上させることができる。なお、本発明における照明装置５６は、本実施例のようにスマートフォン５に内蔵されたものに限られず、スマートフォン５に外付けされて、補助アプリにより制御されるものも含む概念である。
【００８６】
図３のフローチャートに示すように、ユーザーが駆動スイッチ２１をオン操作して、電気かみそり１の電源を投入すると（ステップＳ１でＹＥＳ）、モーター１６が起動して機能部１２が駆動を開始する。同時に電気かみそり１の通信インターフェース２４が有効となり（ステップＳ２）、スマートフォン５の通信インターフェース６４との無線接続が確立する。なお、電気かみそり１の電源投入の時点でスマートフォン５は起動しており、その通信インターフェース６４も有効化されている。また電気かみそり１の使用を補助する補助アプリは、バックグラウンドで待機状態となっている。
【００８７】
電気かみそり１との接続が確立したことを受けて、補助アプリはスマートフォン５の制御部６５の状態を確認し、ディスプレイ５２にプッシュ通知を表示する。このプッシュ通知の表示が、本発明における補助アプリの起動に相当する（ステップＳ３）。ユーザーは、このプッシュ通知をタップすることにより、補助アプリをフォアグラウンドに移行させて、ディスプレイ５２の全体に補助アプリの画面を表示させることができる。補助アプリがフォアグラウンドで起動すると、ミラー化手段が動作を開始して、カメラ５３が撮影した動画がディスプレイ５２に映し出される（ステップＳ４）。また照明制御手段が、ＬＥＤ５６を第１の点灯パターンで点灯させる（ステップＳ５）。
【００８８】
ミラー化手段が動作を開始すると、動画静止手段は待機状態に入り、電気かみそり１の駆動スイッチ２１がオフ操作されるのを待つ（ステップＳ６）。駆動スイッチ２１がオフ操作されてモーター１６が停止すると（ステップＳ６でＹＥＳ）、動画静止手段はディスプレイ５２に映る動画を静止させ（ステップＳ７）、照明制御手段がＬＥＤ５６を第２の点灯パターンに切り換える（ステップＳ８）。駆動スイッチ２１がオン操作されて、モーター１６が再び起動すると（ステップＳ９でＹＥＳ）、動画静止手段が動画の静止状態を解除し（ステップＳ１０）、照明制御手段がＬＥＤ５６を第１の点灯パターンに切り換え（ステップＳ５）、ステップＳ６で再び駆動スイッチ２１がオフ操作されるのを待つ。
【００８９】
なお、電気かみそり１の制御部２５は、駆動スイッチ２１がオフ操作された直後は通信インターフェース２４の有効状態を継続し、オフ操作から所定時間（本実施例では１０分）が経過した時点で通信インターフェース２４を無効化する。ただし制御部２５は、モーター１６の連続駆動時間が所定時間（本実施例では５分）を超えた場合に、モーター１６を停止させるタイマー機能を備えており、このタイマー機能によりモーター１６を停止させた場合は、停止の時点から先の所定時間よりも短い時間（本実施例では５分）の経過後に通信インターフェース２４を無効化する。
【００９０】
スマートフォン５には、ユーザーが長時間にわたってスマートフォン５を放置しているとみなされる場合に、ディスプレイ５２を消灯させる保護プログラムが格納されている。補助アプリの実行中に、上記の動画静止手段が長時間にわたって動作している場合、すなわち、ディスプレイ５２に映る動画が長時間にわたって静止している場合は、ユーザーがひげ剃りを終えて電気かみそり１を停止させた後、ディスプレイ５２を消灯せずにスマートフォン５を放置した可能性がある。
【００９１】
一方、動画静止手段が動作しておらず、ディスプレイ５２に動画が映っている場合、すなわちディスプレイ５２のミラー化状態においては、ユーザーがスマートフォン５を手鏡のように使用しながら、電気かみそり１でひげ剃りを行っている可能性が高い。しかし、ミラー化状態であっても、ユーザーの顔や電気かみそり１が長時間にわたってカメラ５３に映らない場合は、ユーザーが駆動状態の電気かみそり１と共にスマートフォン５を放置した可能性がある。これらの場合に保護プログラムは、電池パックの無駄な消耗を避けるためにディスプレイ５２を消灯させる。
【００９２】
保護プログラムによる具体的な制御手順を、図４のフローチャートに示す。保護プログラムは、補助アプリがフォアグラウンドで起動した時点（この時点ではミラー化手段が動作し、動画静止手段は動作していない）で、タイマーによる計時を開始する（ステップＳ１１）。これ以降の保護プログラムは、計時を開始してから所定時間（本実施例では５分）が経過するか、動画静止手段が動作してディスプレイ５２が静止するか、あるいは、カメラ５３でユーザーの顔または電気かみそり１が検出されるのを待つ（ステップＳ１２〜Ｓ１４）。
【００９３】
所定時間が経過する前に、ディスプレイ５２に映る動画からユーザーの顔または電気かみそり１が検出された場合は（ステップＳ１２〜Ｓ１３でＮＯ、ステップＳ１４でＹＥＳ）、ユーザーがスマートフォン５を使用中であると想定されるため、ステップＳ１１へ戻ってタイマーをリセットし、再び計時を開始する。一方、ユーザーの顔または電気かみそり１が検出されることなく、またディスプレイ５２が静止することなく、所定時間が経過した場合は（ステップＳ１３〜Ｓ１４でＮＯ、ステップＳ１２でＹＥＳ）、ユーザーが駆動状態の電気かみそり１と共にスマートフォン５を放置したと想定されるため、保護プログラムはステップＳ１５へ進みディスプレイ５２を消灯させる。
【００９４】
動画静止手段が動作してディスプレイ５２が静止した場合は（ステップＳ１３でＹＥＳ）、ステップＳ１６へ進みタイマーをリセットし、再び計時を開始する。計時を開始してから、静止状態が解除される前に所定時間（本実施例では５分）が経過した場合は（ステップＳ１８でＮＯ、ステップＳ１７でＹＥＳ）、ユーザーがひげ剃りを終えて電気かみそり１を停止させた後、ディスプレイ５２を消灯せずにスマートフォン５を放置したと想定されるため、保護プログラムはステップＳ１５へ進みディスプレイ５２を消灯させる。一方、所定時間が経過する前に静止状態が解除された場合は（ステップＳ１７でＮＯ、ステップＳ１８でＹＥＳ）、ステップＳ１１へ戻ってタイマーをリセットし、再び計時を開始する。上記以外に保護プログラムは、電気かみそり１のタイマー機能によりモーター１６が停止した場合に、ディスプレイ５２を消灯させることができる。
【００９５】
図５のタイミングチャートは、電気かみそり１の駆動スイッチ２１とスマートフォン５の補助アプリなどが連動する状況の一例を示したものである。時点ｔ１において駆動スイッチ２１がオン操作されると、電気かみそり１ではモーター１６が起動し、また通信インターフェース２４が有効となる。同時にスマートフォン５では、バックグラウンドで待機する補助アプリが、ディスプレイ５２にプッシュ通知を表示させる。そして、ユーザーによるタップ操作を経て、補助アプリがフォアグラウンドで起動し、ディスプレイ５２がミラー化手段によってミラー化される。またＬＥＤ５６が第１の点灯パターンで点灯する。次の時点ｔ２（ｔ２−ｔ１＜５分）においては、駆動スイッチ２１がオフ操作されることで、電気かみそり１のモーター１６が停止する。同時にスマートフォン５では、ディスプレイ５２に映る動画が静止し、ＬＥＤ５６が第２の点灯パターンに切り換わる。
【００９６】
次の時点ｔ３（ｔ３−ｔ２＜５分）においては、駆動スイッチ２１がオン操作されることで、電気かみそり１のモーター１６が再び起動する。同時にスマートフォン５では、動画静止手段による動画の静止状態が解除されて、ディスプレイ５２が再びミラー化されるとともに、ＬＥＤ５６が第１の点灯パターンに切り換わる。次の時点ｔ４（ｔ４−ｔ３＜５分）においては、駆動スイッチ２１がオフ操作されて、先の時点ｔ２と同様にモーター１６が停止し、ディスプレイ５２の動画が静止し、ＬＥＤ５６が第２の点灯パターンに切り換わる。次の時点ｔ５（ｔ５−ｔ４＝５分）においては、上述の保護プログラムによって、ディスプレイ５２が消灯される。次の時点ｔ６（ｔ６−ｔ４＝１０分）においては、電気かみそり１の通信インターフェース２４が無効化される。またスマートフォン５では、電気かみそり１との接続が切れたことを受けて、補助アプリが自動的にバックグラウンドでの待機状態に移行し、ＬＥＤ５６が消灯する。なお、ＬＥＤ５６の消灯のタイミングは、ディスプレイ５２が消灯される時点ｔ５であってもよい。
【００９７】
図６のタイミングチャートは、電気かみそり１が駆動状態のまま、補助アプリを実行中のスマートフォン５と共に放置された場合を示す。電気かみそり１とスマートフォン５が放置された時点ｔ１２は、駆動スイッチ２１がオン操作された時点ｔ１１の数分後（２〜３分後）とする。電気かみそり１では、駆動スイッチ２１のオン操作（時点ｔ１１）から５分後の時点ｔ１３において、モーター１６が自動的に停止し、さらに時点ｔ１３から５分後の時点ｔ１５において、通信インターフェース２４が無効化される。スマートフォン５では、ユーザーに放置された時点ｔ１２以降は、カメラ５３でユーザーの顔または電気かみそり１を検出できなくなることから、時点ｔ１２から５分後の時点ｔ１４に、上述の保護プログラムによってディスプレイ５２が消灯される。また、電気かみそり１との接続が切れる時点ｔ１５に、補助アプリが自動的にバックグラウンドでの待機状態に移行し、ＬＥＤ５６が消灯する。なお、時点ｔ１４に至る前、すなわち時点ｔ１２から５分が経過する前に、カメラ５３でユーザーの顔または電気かみそり１を検出した場合には、ディスプレイ５２の消灯に係るタイマーはリセットされる。また、スマートフォン５の保護プログラムによるディスプレイ５２の消灯のタイミングは、電気かみそり１のモーター１６が自動的に停止する時点ｔ１３であってもよい。通信インターフェース２４が無効化されるタイミングと、補助アプリがバックグラウンドでの待機状態に移行するタイミングと、ＬＥＤ５６が消灯するタイミングも、時点ｔ１３であってもよい。
【００９８】
図７のタイミングチャートは、スマートフォン５の補助アプリと保護プログラムによる別の制御方法を示す。駆動スイッチ２１がオン操作された時点ｔ２１から、カメラ５３でユーザーの顔または電気かみそり１を検出できなくなった時点ｔ２２までは、図６における時点ｔ１１〜ｔ１２と同様であるが、ここでは、時点ｔ２２の１分後の時点ｔ２３に、保護プログラムがディスプレイ５２を消灯させると共に、補助アプリの電気機器制御手段（詳しくは後述）が、モーター１６を減速するための制御信号を電気かみそり１の制御部２５へ送信する。そして、時点ｔ２３の１分後の時点ｔ２４に、電気かみそり１ではモーター１６が停止し、また通信インターフェース２４が無効となり、スマートフォン５では補助アプリがバックグラウンドでの待機状態に移行し、ＬＥＤ５６が消灯する。なお、時点ｔ２３に至る前、すなわち時点ｔ２２から１分が経過する前に、カメラ５３でユーザーの顔または電気かみそり１を検出した場合には、ディスプレイ５２の消灯に係るタイマーはリセットされる。また、時点ｔ２３でモーター１６を減速させるのに代えて、モーター１６を停止させてもよく、その場合は、通信インターフェース２４の無効化と補助アプリの待機状態への移行とＬＥＤ５６の消灯も時点ｔ２３に行うことができる。
【００９９】
動画静止手段を制御するための操作は、上述の電気かみそり１のスイッチ操作に限られず、例えば、ユーザーによるスマートフォン５のディスプレイ５２のタップ操作であってもよく、また、ユーザーが電気かみそり１またはスマートフォン５を振るなどの特定の移動操作であってもよい。これらの移動操作は、電気かみそり１とスマートフォン５のそれぞれに内蔵された加速度センサ２２・６２およびジャイロセンサ２３・６３により検出される。電気かみそり１の移動操作の内容は、制御部２５から通信インターフェース２４・６４を介してスマートフォン５に伝送される。
【０１００】
（ズーム制御手段）
ズーム制御手段は、ユーザーによる電気かみそり１およびスマートフォン５の移動操作に連動して、カメラ５３のズーム機能を制御する。電気かみそり１の移動操作は、電気かみそり１に内蔵された加速度センサ２２およびジャイロセンサ２３により検出されて、その内容が制御部２５から通信インターフェース２４・６４を介してスマートフォン５に伝送される。この移動操作の内容に基づき、ズーム制御手段がカメラ５３のズーム機能を制御する。例えば、電気かみそり１が比較的大きなストロークで移動している場合や、電気かみそり１が比較的速く移動している場合は、ユーザーが顔の広範囲のひげを剃っていると想定されるため、ズーム制御手段はカメラ５３をズームアウトさせて、ディスプレイ５２に顔の広範囲を映す。逆に、電気かみそり１が比較的小さなストロークで移動している場合や、電気かみそり１が比較的ゆっくりと移動している場合は、ユーザーが顔の一部分のひげを重点的に剃っていると想定されるため、ズーム制御手段はカメラ５３をズームインさせて、ディスプレイ５２に顔の一部を拡大して映す。
【０１０１】
また、カメラ５３が撮影する動画を分析して、ユーザーによる電気かみそり１の移動操作を検出することもできる。この検出を容易にするため、電気かみそり１の外面には、動画内で識別可能な複数個の目印２８が設けられている（図８参照）。目印２８は主に機能部１２の周囲に分散的に配置されて、ユーザーによる電気かみそり１のグリップ姿勢にかかわらず、常に一部の目印２８がカメラ５３に映るようになっている。動画内での各目印２８の動きを観察することで、電気かみそり１の移動ストロークや移動速度を検出し、それらの大きさに基づいて先と同様にズーム機能を制御できる。
【０１０２】
さらに図８に示すように、カメラプログラムの顔認識機能を併せて利用すると、動画内の顔領域と電気かみそり１の各目印２８との位置関係を比較して、電気かみそり１の機能部１２が正対する顔の部位を検出することができる。この方法で検出した顔の部位に応じてカメラ５３のズーム機能を制御してもよい。図８では、機能部１２がユーザーの鼻下に正対しており、このことは、顔領域における機能部１２の周囲の２個の目印２８の位置から検出される。機能部１２が鼻下に位置するときにズーム制御手段は、例えばカメラ５３をズームインさせて、ディスプレイ５２に鼻下を拡大して映す。通常は、鼻下とその他の部位のひげを同時に剃ることは少なく、鼻下のひげを剃るときはこれに専念することが多いためである。
【０１０３】
一方、スマートフォン５の移動操作は、スマートフォン５に内蔵された加速度センサ６２およびジャイロセンサ６３により検出され、この移動操作の内容に基づきズーム機能が制御される。具体的には、例えば図９（ａ）に示すように、スマートフォン５の正面５１が垂直に近い角度になった場合は、ユーザーがスマートフォン５を顔の前方に移動させて、顔の全体をディスプレイ５２に映そうとしていると想定されるため、ズーム制御手段はカメラ５３をズームアウトさせる。逆に、図９（ｂ）に示すように、スマートフォン５の正面５１が水平面に対して約４５°になった場合は、ユーザーがスマートフォン５を顔の斜め下に移動させて、顎など顔の一部だけをディスプレイ５２に映そうとしていると想定されるため、ズーム制御手段はカメラ５３をズームインさせる。また、ユーザーがスマートフォン５を振るなどの特定の移動操作を行ったことをセンサ６２・６３で検出した場合に、カメラ５３のズーム倍率を変更する制御を行ってもよい。
【０１０４】
また、カメラプログラムの顔認識機能を利用して、スマートフォン５の移動操作を検出することもできる。すなわち、カメラ５３が撮影する動画内の顔領域が大きくなった場合は、ユーザーがスマートフォン５を顔に近付けたとみなすことができ、この場合にズーム制御手段は例えばカメラ５３をズームインさせて、ディスプレイ５２に顔の一部をより拡大して映す。逆に、動画内の顔領域が小さくなった場合は、ユーザーがスマートフォン５を顔から遠ざけたとみなすことができ、この場合にズーム制御手段は例えばカメラ５３をズームアウトさせて、顔のより広範囲をディスプレイ５２に映す。さらに、動画内の顔領域の表情に応じて、カメラ５３のズーム機能を制御してもよい。例えば、顔領域が笑顔であると認識された場合には、ズーム制御手段はカメラ５３をズームインさせ、顔領域が怒り顔であると認識された場合には、ズーム制御手段はカメラ５３をズームアウトさせる。
【０１０５】
以上のズーム制御手段は、補助アプリの起動と同時に動作を開始させてもよく、補助アプリの起動後にユーザーの希望に応じて動作を開始させてもよい。なお、ズーム制御手段を制御するための操作は、上述の電気かみそり１およびスマートフォン５の移動操作に限られず、例えば、電気かみそり１の側でのスイッチ操作に連動して、カメラ５３のズーム機能を制御することができる。スイッチの一例としては、電気かみそり１に設けたモーター１６の回転数の制御スイッチを挙げることができ、例えば回転数を下げる操作が行われた場合には、ユーザーが顔の一部分のひげを慎重に剃っていると想定されるから、ズーム制御手段はカメラ５３をズームインさせる。また、カメラ５３のズーム機能は、ユーザーがスマートフォン５のディスプレイ５２や側面のボタンを直接操作して制御することもできる。
【０１０６】
（イラスト付加手段）
イラスト付加手段は、図１０に示すように、スマートフォン５のディスプレイ５２に映る顔領域に補助イラスト７０を付加する。本実施例に係る補助イラスト７０は、誇張されたひげを表す未処理イラスト７１と、ひげを剃り終わったことを表す処理済イラスト７２とで構成される。イラスト付加手段は動作を開始すると、顔認識機能により検出された顔領域の鼻下と顎と両頬、およびもみあげの範囲に未処理イラスト７１を付加し、ユーザーによる各部分のひげ剃りが完了したと判断すると、その部分の未処理イラスト７１を処理済イラスト７２に変更する。ユーザーは、ディスプレイ５２上の全ての未処理イラスト７１が処理済イラスト７２に変わったときに、全てのひげを剃り終わった（剃り残しが無い）と確認することができる。
【０１０７】
顔の各部分のひげ剃りが完了したことは、電気かみそり１の外面の目印２８を利用して検出される。ズーム制御手段の項目で先に説明したように、動画内の顔領域と電気かみそり１の各目印２８との位置関係を比較すると、電気かみそり１の機能部１２が正対する顔の部位を検出できる。イラスト付加手段は、機能部１２が顔の一部分に正対すなわち通過した回数が所定の回数に達すると、当該一部分のひげ剃りが完了したと判断して未処理イラスト７１を処理済イラスト７２に変更する。
【０１０８】
イラスト付加手段は、補助アプリの起動と同時に動作を開始させてもよく、補助アプリの起動後にユーザーの希望に応じて動作を開始させてもよい。また補助イラスト７０を、未処理イラスト７１と処理済イラスト７２の一方だけで構成してもよく、例えば未処理イラスト７１だけで補助イラスト７０を構成する場合は、イラスト付加手段は、ひげ剃りが完了したと判断した部分から順に未処理イラスト７１を消去する。ユーザーは、ディスプレイ５２から全ての未処理イラスト７１が消えたときに、全てのひげを剃り終わったと確認することができる。さらに補助イラスト７０は、処理の途中であることを示す処理中イラストを含むことができる。例えば補助イラスト７０を、未処理イラスト７１よりもひげを段階的に薄くした複数種の処理中イラストを含むものとし、電気かみそり１の機能部１２が顔の一部分を一回通過する毎に、当該一部分の補助イラスト７０をひげの薄い処理中イラストに変更することができる。
【０１０９】
（反転指示手段）
反転指示手段は、スマートフォン５を通常姿勢にして補助アプリを使用するユーザーに対して、スマートフォン５の上下反転を指示する。通常姿勢とは、図１に示すように、カメラ５３やＬＥＤ５６がスマートフォン５の上部に位置する姿勢のことである。スマートフォン５を上下反転させた反転姿勢にすると、カメラ５３がスマートフォン５の下部に位置することから、ひげが生える顔の下部、特に顎下部分を撮影しやすくなる。なお、スマートフォン５が通常姿勢や反転姿勢であることは、内蔵されたジャイロセンサ６３により検出される。
【０１１０】
例えば図１１（ａ）に示すように、スマートフォン５が通常姿勢である場合に、ディスプレイ５２に上下逆さまの反転文字を表示し、これを反転指示手段とすることができる。反転文字を見たユーザーがスマートフォン５を直感的に上下反転すると、図１１（ｂ）に示すように、ディスプレイ５２には正しい向きの通常文字が表示される。なお、図１１（ｂ）の通常文字は、ユーザーの顔をディスプレイ５２に映すときに邪魔になる場合があるため、時間が経過すると消えるようにしてもよく、また省略してもよい。
【０１１１】
また図１２（ａ）に示すように、スマートフォン５が通常姿勢である場合に、スマートフォン５の上下反転をユーザーに対して直接的に指示する「反転してください」などの文字をディスプレイ５２に表示し、これを反転指示手段とすることができる。この文字に従ってユーザーがスマートフォン５を上下反転すると、図１２（ｂ）に示すように、ディスプレイ５２にはスマートフォン５の姿勢が適正であることを示す文字が表示されるが、この文字は図１１（ｂ）の通常文字と同様の理由で、時間が経過すると消えるようにしてもよく、また省略してもよい。なお、図１２（ａ）の文字に代えて、例えばＵ字状の矢印などの記号を表示し、これを反転指示手段としてもよい。
【０１１２】
また図１３（ａ）に示すように、スマートフォン５が通常姿勢である場合に、ディスプレイ５２に映る動画の全体を上下反転させて、これを反転指示手段とすることができる。上下反転された自分の顔を見たユーザーがスマートフォン５を直感的に上下反転すると、図１３（ｂ）に示すように、ディスプレイ５２には正しい向きの動画が表示される。ここでも図１２（ｂ）と同様に、スマートフォン５の姿勢が適正であることを示す文字を表示させてもよい。
【０１１３】
（機器状態報知手段）
機器状態報知手段は、図１４に示すように、電気かみそり１の電池残量などの機器状態をディスプレイ５２に表示させる。この表示は、電気かみそり１の二次電池１８の残量を示す電池残量表示７５と、外刃１３と内刃１４の交換時期を示す交換表示７６と、毛屑収容室を含む機能部１２の洗浄時期を示す洗浄表示７７と、機能部１２に作用する負荷の大きさを示す負荷表示７８と、電気かみそり１の連続使用時間を表示する時間表示７９などで構成される。機器状態報知手段は、補助アプリの起動と同時に動作を開始させるが、その後のユーザー操作に従い停止させることもできる。
【０１１４】
電池残量表示７５は、二次電池１８の残量を示す数値と上下５段の目盛からなり、電池残量の減少に従って緑→黄→赤と色調が変化する。二次電池１８の残量に関する情報は、電気かみそり１の制御部２５から通信インターフェース２４・６４を介してスマートフォン５に伝送される。電池残量が所定の割合（例えば２０％）を下回ると、機器状態報知手段は電池残量表示７５の色調を赤色に変化させ、またスマートフォン５のバイブレータ５９を駆動させ、さらにＬＥＤ５６を非常時のパターンで点灯させて、電池残量が少ないことをユーザーに報知する。
【０１１５】
交換表示７６は、刃１３・１４の交換が不要な時期には点灯せず、交換の時期が近付くと点灯する。電気かみそり１の制御部２５は、外刃１３と内刃１４のそれぞれについて、前回の交換からの累計使用時間を管理しており、この累計使用時間が所定時間に達すると、刃１３・１４の交換時期が近付いたことをスマートフォン５に伝送する。これを受けた機器状態報知手段は、交換時期が近付いた刃１３・１４についての交換表示７６をディスプレイ５２に点灯させ、またバイブレータ５９を駆動させ、さらにＬＥＤ５６を非常時のパターンで点灯させて、ユーザーに刃１３・１４の交換を促す。ユーザーが刃１３・１４を交換した後、例えばディスプレイ５２上の交換表示７６を長押しすると、機器状態報知手段は刃１３・１４の交換が完了したとみなして、交換表示７６を消灯させるとともに、刃１３・１４の交換が完了したことを電気かみそり１の制御部２５へ伝送する。これを受けた制御部２５は、交換された刃１３・１４についての累計使用時間をリセットする。なお、刃１３・１４の交換時期が近付いたことは、累計使用時間の他に、駆動スイッチ２１のオンオフ回数に基づいて判定してもよい。
【０１１６】
洗浄表示７７も、機能部１２の洗浄が不要な時期には点灯せず、洗浄の時期が近付くと点灯する。機能部１２を構成する毛屑収容室には、毛屑の溜まり具合を検出するための光学センサが設けられており、毛屑の溜まり具合が所定の基準値を超えると、制御部２５は洗浄時期が近付いたことをスマートフォン５に伝送する。これを受けた機器状態報知手段は、洗浄表示７７をディスプレイ５２に点灯させ、またバイブレータ５９を駆動させ、さらにＬＥＤ５６を非常時のパターンで点灯させて、ユーザーに機能部１２の洗浄を促す。ユーザーが洗浄を行って、毛屑の溜まり具合が所定値以下になると、制御部２５は洗浄が完了したことをスマートフォン５に伝送し、これを受けた機器状態報知手段は洗浄表示７７を消灯させる。なお、機能部１２の洗浄時期が近付いたことは、毛屑の溜まり具合の他に、前回の洗浄からの累計使用時間や、駆動スイッチ２１のオンオフ回数に基づいて判定してもよい。
【０１１７】
負荷表示７８は、電気かみそり１の機能部１２に作用する負荷の大きさを表示することにより、ユーザーが機能部１２を顔肌に押し付ける力の強さの調整を促すものである。機能部１２の押付力と負荷の大きさには相関関係があり、押付力が強くなるほど負荷も大きくなる。従って、機能部１２の負荷の大きさをディスプレイ５２に表示すると、その時の押付力の強さをユーザーに知らせることができる。ユーザーは、負荷表示７８をチェックしながらひげ剃りを行うことで、機能部１２の押付力を常に適度な強さに維持して、顔肌にかかる負担を小さくすることができる。
【０１１８】
機能部１２の負荷の大きさの指標としては、モーター１６を流れる負荷電流が採用されている。機能部１２の負荷が大きくなるほど、負荷電流の値も大きくなる。電気かみそり１の制御部２５は、この負荷電流の大きさを監視しつつスマートフォン５に伝送する。負荷表示７８は、負荷の大きさを表す優弧状の目盛と、目盛の一点を指し示す指示針とからなり、目盛の左下から右下へ向かって、負荷が小さい（押付力が弱い）ことを表す低負荷ゾーン（緑色）と、負荷（押付力）が適度であることを表す中負荷ゾーン（青色）と、負荷が大きい（押付力が強い）ことを表す高負荷ゾーン（緑色）と、負荷（押付力）が過剰であることを表す過負荷ゾーン（赤色）とが順に設定されている。ユーザーは、指示針が常に中負荷ゾーンを指し示すように機能部１２の押付力を調整することが好ましい。機器状態報知手段は、負荷表示７８の指示針が過負荷ゾーンを指し示すと、バイブレータ５９を駆動させ、さらにＬＥＤ５６を非常時のパターンで点灯させて、ユーザーに注意を促す。
【０１１９】
ユーザーがディスプレイ５２上の負荷表示７８をタップすると、負荷表示７８が図１５に示す第２負荷表示８０に切り換わる。第２負荷表示８０は、同心円状に配置された２個の優弧状の目盛と、各目盛の一点を指し示す矢印とからなる。外側の目盛がモーター１６の回転数を示し、内側の目盛が負荷トルクの大きさを示しており、これらの情報は電気かみそり１の制御部２５からスマートフォン５に伝送される。モーター１６の回転数が所定の下限値を下回った場合、あるいは、負荷トルクが所定の上限値を上回った場合に、機器状態報知手段は、機能部１２にかかる負荷が過剰であるとみなしてバイブレータ５９を駆動させ、さらにＬＥＤ５６を非常時のパターンで点灯させて、ユーザーに注意を促す。ユーザーがディスプレイ５２上の第２負荷表示８０をタップすると、第２負荷表示８０は図１４に示す負荷表示７８に戻る。
【０１２０】
時間表示７９は、電気かみそり１の１回あたりの連続使用時間、すなわちモーター１６の連続駆動時間を秒単位で表示する。ユーザーが駆動スイッチ２１をオフ操作してモーター１６が停止すると、時間表示７９が表示する連続使用時間はリセットされる。駆動スイッチ２１のオン操作から所定時間（５分）が経過して、上記のタイマー機能によりモーター１６が停止した場合も、連続使用時間は同様にリセットされる。機器状態報知手段は、モーター１６がタイマー機能により停止する例えば１分前になると、時間表示７９を例えば赤色に変更し、またバイブレータ５９を駆動させ、さらにＬＥＤ５６を非常時のパターンで点灯させて、ユーザーに注意を促す。この連続使用時間は、電気かみそり１の側で計測してスマートフォン５へ伝送してもよく、スマートフォン５の側で計測してもよい。上述のように、駆動スイッチ２１がオン操作あるいはオフ操作されたことは、スマートフォン５に伝送されるから、スマートフォン５の側でも連続使用時間の計測は可能である。
【０１２１】
（電気機器制御手段）
電気機器制御手段は、電気かみそり１を制御するための制御信号を、通信インターフェース２４・６４を介して制御部２５へ送信する。ディスプレイ５２の左端部には、ユーザーが操作可能なものとして、電気かみそり１のモーター１６の回転数を変更するための回転数レバー８１と、モーター１６をオンオフ操作するための駆動ボタン８２と、上記のタイマー機能に関係なくモーター１６を駆動状態にロックするためのロックボタン８３とが配置されている。
【０１２２】
ユーザーが回転数レバー８１を上下にスライド操作すると、電気機器制御手段はモーター１６を増速あるいは減速するための制御信号を、通信インターフェース２４・６４を介して電気かみそり１の制御部２５へ送信する。モーター１６の停止状態において、ユーザーが駆動ボタン８２をタップすると、電気機器制御手段はモーター１６を起動するための制御信号を制御部２５へ送信する。また、モーター１６の駆動状態において、ユーザーが駆動ボタン８２をタップすると、電気機器制御手段はモーター１６を停止するための制御信号を制御部２５へ送信する。モーター１６の駆動状態において、ユーザーがロックボタン８３をタップすると、電気機器制御手段は、モーター１６が駆動状態にロックされていなければ、これをロックするための制御信号を制御部２５へ送信し、モーター１６が駆動状態にロックされていれば、ロックを解除するための制御信号を制御部２５へ送信する。モーター１６を駆動状態にロックすると、ユーザーが不用意にスイッチボタン１５に触れてしまっても、モーター１６がユーザーの意思に反して停止することは無い。
【０１２３】
上記以外に電気機器制御手段は、ユーザーによるスマートフォン５の変位操作に従い、電気かみそり１を制御することができる。例えば、ユーザーがスマートフォン５を左右一方へ傾動操作すると、電気機器制御手段はモーター１６を増速する制御信号を制御部２５へ送信し、ユーザーがスマートフォン５を左右他方へ傾動操作すると、電気機器制御手段はモーター１６を減速する制御信号を制御部２５へ送信する。ユーザーによるスマートフォン５の移動操作は、スマートフォン５に内蔵された加速度センサ６２やジャイロセンサ６３で検出することができる。
【０１２４】
また電気機器制御手段は、例えば電気かみそり１の機能部１２がユーザーの顔の鼻下に正対するときは、モーター１６を低速にするなど、機能部１２が正対する顔の部位に応じてモーター１６の回転数を制御することができる。ズーム制御手段の項目で先に説明したように、動画内の顔領域と電気かみそり１の各目印２８との位置関係を比較すると、機能部１２が正対する顔の部位を検出できる。さらに電気機器制御手段は、図７のタイミングチャートで説明したように、ユーザーが電気かみそり１やスマートフォン５を放置しているとみなされる場合は、ユーザーによるスマートフォン５の操作が無くても、モーター１６を減速あるいは停止させる制御信号を制御部２５へ送信することができる。
【０１２５】
（説明書表示手段）
説明書表示手段は、スマートフォン５のディスプレイ５２に電気かみそり１の取扱説明書を表示させる。ユーザーがディスプレイ５２上の説明書ボタン８５（図１４参照）をタップすると、説明書表示手段はディスプレイ５２をミラー表示から、図１６に示す説明書表示に切り換える。説明書表示におけるディスプレイ５２の隅部にはミラーボタン８６が配置されており、ユーザーがミラーボタン８６をタップすると、説明書表示手段はディスプレイ５２を説明書表示からミラー表示に切り換える。
【０１２６】
本実施例における取扱説明書は、「目次」「各部の名称と働き」「使い方」「刃の交換」「刃の洗浄」などの複数のページで構成されている。ディスプレイ５２が説明書表示に切り換わった直後は目次が表示されるので、ユーザーは、目次に含まれる各ページへのリンクをタップするか、ディスプレイ５２を左右にスライドさせることで、所望のページをディスプレイ５２に表示させることができ、また、ピンチイン操作でページを縮小し、ピンチアウト操作でページを拡大できる。なお、本実施例の説明書ボタン８５に代えて、あるいは説明書ボタン８５に加えて、ディスプレイ５２上に「使い方」「刃の交換」「刃の洗浄」などの複数のボタンを配置し、これら各ボタンをユーザーがタップすると、取扱説明書の該当するページが表示されるように構成してもよい。取扱説明書のデータは予め補助アプリに含まれていてもよく、説明書ボタン８５のタップ操作時に電気かみそり１のメーカーのサーバーからインターネットを経由してダウンロードしてもよい。
【０１２７】
図１７のフローチャートにおいて、スマートフォン５で補助アプリが起動した直後は、ディスプレイ５２はミラー表示である。ディスプレイ５２上の説明書ボタン８５がタップ操作されると（ステップＳ２１でＹＥＳ）、説明書表示手段はディスプレイ５２をミラー表示から説明書表示に切り換える（ステップＳ２２）。同時に、上記の電気機器制御手段から電気かみそり１へ送信される制御信号に従い、制御部２５がモーター１６を停止させる（ステップＳ２３）。その後は、電気かみそり１の駆動スイッチ２１がオン操作されるか、あるいは、ディスプレイ５２上のミラーボタン８６がタップ操作されるまで待機する（ステップＳ２４〜Ｓ２５）。
【０１２８】
電気かみそり１の駆動スイッチ２１がオン操作されると（ステップＳ２４でＹＥＳ）、ステップＳ２６へ進み、制御部２５がモーター１６を起動させる。駆動スイッチ２１がオン操作されたことは、制御部２５から通信インターフェース２４・６４を介してスマートフォン５に伝送され、これを受けた説明書表示手段は、ディスプレイ５２を説明書表示からミラー表示に切り換える。ディスプレイ５２上のミラーボタン８６がタップ操作された場合（ステップＳ２５でＹＥＳ）もステップＳ２６へ進み、説明書表示手段がディスプレイ５２をミラー表示に切り換える。同時に、電気機器制御手段から電気かみそり１へ送信される制御信号に従い、制御部２５がモーター１６を起動させる。
【０１２９】
図１８のタイミングチャートは、図１７のフローチャートに従いディスプレイ５２やモーター１６を制御した場合の一例を示す。時点ｔ３１では説明書ボタン８５がタップ操作されて、ディスプレイ５２がミラー表示から説明書表示に切り換わるとともに、電気かみそり１ではモーター１６が停止している。次の時点ｔ３２では、ミラーボタン８６がタップ操作されて、ディスプレイ５２がミラー表示に切り換わるとともに、モーター１６が起動している。次の時点ｔ３３では、時点ｔ３１と同様に説明書ボタン８５がタップ操作されて、ディスプレイ５２が説明書表示に切り換わるとともに、モーター１６が停止している。次の時点ｔ３４では、電気かみそり１の駆動スイッチ２１がオン操作されて、ディスプレイ５２がミラー表示に切り換わるとともに、モーター１６が起動している。
【０１３０】
（実施例２）  図１９は、本発明に係る連動システムの実施例２を示す。実施例２に係る電気かみそり１のかみそりヘッド１１は、前後一対の機能部１２を備えており、両機能部１２の間に肌弾力センサ（肌弾力測定手段）４０が設けられている。機能部１２は外刃（切断刃）１３と内刃（切断刃）１４から成る。肌弾力センサ４０としては、従来公知の各種のセンサを用いることができ、例えば、特開２００９−１５３７２７号公報に開示された振動子センサや、特開昭６１−１８１４３７号公報に開示された感圧センサを挙げることができる。本実施例に係る肌弾力センサ４０は、外刃１３と同時に肌面に接触する接触子４１と、接触子４１を肌面に向かって付勢するばね４２などで構成されている。肌弾力センサ（肌弾力測定手段）４０は、機能部１２と同時に肌面に接触できるのであれば、かみそりヘッド１１を構成するケース体における機能部１２の左右部分などに設けられていてもよい。
【０１３１】
本体ケース１０の側には、肌弾力の大きさを「小」「中」「大」の３段階で表示する肌弾力報知部４３が設けられている。肌弾力報知部４３は、制御基板１７に実装された３個のＬＥＤで構成されており、これらＬＥＤがそれぞれ「小」「中」「大」に対応している。本体ケース１０には、各ＬＥＤに正対する透光窓が設けられており、ユーザーは透光窓を介して各ＬＥＤの発光状態を視認できる。電気かみそり１の制御部２５は、肌弾力センサ４０が測定した肌弾力の大きさに応じて、肌弾力報知部４３のいずれか１つのＬＥＤを点灯させる制御を行う。
【０１３２】
肌弾力報知部４３はかみそりヘッド１１に設けることもできる。この場合の肌弾力報知部４３は、例えば３色の光を発光する１個のＬＥＤで構成し、肌弾力の「小」「中」「大」に対応してＬＥＤを「青」「緑」「赤」に変色させて、ユーザーに肌弾力を報知することができる。このようにかみそりヘッド１１に肌弾力報知部４３を設ければ、ユーザーが発光状態を視認しやすく肌弾力状態を確認しやすい。本体ケース１０側に配設された発光表示する肌弾力報知部４３は、本体ケース１０を握るユーザーの手により隠れてしまう虞れがあるが、かみそりヘッド１１に配設する場合はその可能性が少ない。電気かみそり１の使用時は、主にその背面が鏡に映るため、かみそりヘッド１１の背面（後面）に肌弾力報知部４３を設けることが好ましい。或いは、かみそりヘッド１１の内部に肌弾力報知部４３を設け、かみそりヘッド１１を構成するケース体の透明部分（半透明部分を含む）又は外刃１３を透かして光を照射する構成が好ましい。これら構成によれば、肌弾力報知部４３が照射する光をユーザーが鏡越しに視認しやすいので、肌弾力状態を容易に確認できる。さらに肌弾力報知部４３は、ユーザーの視覚に訴える発光手段以外に、聴覚に訴えるブザーなどの発音手段や、触覚に訴えるバイブレータなどの振動手段で構成することもできる。このうち２以上の手段で肌弾力報知部４３を構成してもよい。
【０１３３】
スマートフォン５に格納された補助アプリは、肌弾力センサ４０が測定した肌弾力の大きさをディスプレイ５２に表示させる肌弾力表示手段を備える。肌弾力表示手段による肌弾力表示８８は、一直線上に並ぶ３個のバーからなり、各バーが左から順に「小」「中」「大」に対応している。肌弾力の大きさに関する情報が、電気かみそり１の制御部２５から通信インターフェース２４・６４を介してスマートフォン５に伝送されると、肌弾力表示手段は肌弾力表示８８の３個のバーのうち、その大きさに該当するバーだけを点滅させる制御を行う。このとき、残りの２個のバーは常時点灯と常時消灯のどちらであってもよい。これ以外に肌弾力表示８８は、例えば常時点灯する３個のバーと、このうちいずれか１個のバーを指し示す矢印などで構成してもよい。
【０１３４】
一般に、肌弾力は顔の部分ごとに異なる。肌弾力の小さい部分では、電気かみそり１の機能部１２を押し付けた際に、顔肌が外刃１３の孔に入り込み易く、入り込んだ部分が内刃１４に強くこすられて大きなダメージを受けるおそれがあるため、機能部１２を比較的弱い力で押し付けることが好ましい。一方、肌弾力の大きい部分では、機能部１２を比較的強く押し付けても、顔肌は外刃１３の孔に入り込み難い。本実施例のように、肌弾力センサ４０が測定した肌弾力をディスプレイ５２に表示すると、機能部１２が正対する部分の肌弾力をユーザーにリアルタイムに知らせて、当該部分に対する機能部１２の押付力の適正化を促すことができる。
【０１３５】
さらに、電気かみそり１の制御部２５は、肌弾力センサ４０が測定した肌弾力に応じてモーター１６の回転数を自動的に制御する。具体的には、肌弾力センサ４０の測定値が小さいほど、モーター１６の回転数を下げる制御を行う。本実施例では、肌弾力が「大」の場合の回転数を、通常回転数である６５００ｒｐｍに設定し、肌弾力が「中」の場合の回転数を、微減回転数である６３００ｒｐｍに設定し、肌弾力が「小」の場合の回転数を、減速回転数である６０００ｒｐｍに設定した。
【０１３６】
肌弾力センサ４０の測定値に応じてモーター１６の回転数を自動的に制御すると、ユーザーは、上述の肌弾力報知部４３と肌弾力表示８８に加え、モーター１６の駆動音の高低の変化に基づいても、自身の肌弾力の大きさを知ることができる。また本実施例では、肌弾力の小さい部分ほど、機能部１２を押し付けた際に顔肌が外刃１３の孔に入り込み易いことを考慮して、モーター１６の回転数を下げるので、外刃１３の孔に入り込んだ顔肌が外刃１３と内刃１４から受けるダメージを小さくすることができる。しかも、モーター１６の回転数を自動的に制御するので、回転数を変更する手間をユーザーに強いることも無い。他は実施例１の連動システムと同じであるので、同じ部材に同じ符号を付してその説明を省略する。
【０１３７】
本実施例に係る連動システムは、以下の形態で実施することができる。
【０１３８】
人体に対する機能部１２を有する小型電気機器１と、表示部５２を有する携帯型の表示装置５を連動させる連動システムであって、
小型電気機器１と表示装置５は、互いの接続を確立するための通信インターフェース２４・６４をそれぞれ備えており、
表示装置５は、表示部５２を用いて小型電気機器１の使用を補助する補助機能を備えており、
通信インターフェース２４・６４を介して補助機能を起動させる操作スイッチ２１が小型電気機器１に設けられており、
小型電気機器１が、ユーザーの肌弾力を測定する肌弾力測定手段４０を備える電気かみそりであり、
表示装置５の補助機能は、肌弾力測定手段４０が測定した肌弾力を表示部５２に表示する肌状態表示手段を含むことを特徴とする連動システム。
【０１３９】
電気かみそりである小型電気機器１が、ユーザーの肌弾力を測定する肌弾力測定手段４０を備えており、この肌弾力測定手段４０が測定した肌弾力を表示装置５の表示部５２に表示する。これによれば、ユーザーに自身の肌弾力を知らせて、肌弾力に見合った力で小型電気機器１の機能部１２を押し付けるように促すことができる。特に、肌弾力の小さい部分に機能部１２を強く押し付けないようにユーザーに働きかけて、当該部分が機能部１２から受けるダメージを抑制することができる。
【０１４０】
また、本実施例に係る電気かみそり１は、以下の形態で実施することができる。
【０１４１】
肌弾力を測定する肌弾力測定手段４０を備えることを特徴とする電気かみそり。
【０１４２】
肌弾力を測定する肌弾力測定手段４０を備える電気かみそりによれば、ユーザーに自身の肌弾力を知らせて、肌弾力に見合った力で切断刃１３・１４を押し付けるように促すことができる。特に、肌弾力の小さい部分に切断刃１３・１４を強く押し付けないようにユーザーに働きかけて、当該部分が切断刃１３・１４から受けるダメージを抑制することができる。
【０１４３】
外刃１３と、外刃１３に摺接する内刃１４と、内刃１４を駆動するモーター１６と、肌弾力を測定する肌弾力測定手段４０を備えており、
肌弾力測定手段４０の測定結果に基づいてモーター１６の回転数が制御されることを特徴とする電気かみそり。
【０１４４】
肌弾力測定手段４０の測定結果に基づいてモーター１６の回転数が制御される電気かみそりによれば、ユーザーは、モーター１６の駆動音の高低の変化に基づいて、自身の肌弾力の大きさを知ることができる。このように、ユーザーに自身の肌弾力を知らせると、肌弾力に見合った力で外刃１３を押し付けるようにユーザーに促すことができる。特に、肌弾力の小さい部分に外刃１３を強く押し付けないようにユーザーに働きかけて、当該部分が内刃１４から受けるダメージを抑制することができる。
【０１４５】
外刃１３と、外刃１３に摺接する内刃１４と、内刃１４を駆動するモーター１６と、肌弾力を測定する肌弾力測定手段４０を備えており、
肌弾力測定手段４０の測定結果に基づいてモーター１６の回転数が制御されており、
肌弾力測定手段４０の測定値が上昇すると、モーター１６の回転数を上げるように自動的に制御され、肌弾力測定手段４０の測定値が低下すると、モーター１６の回転数を下げるように自動的に制御されることを特徴とする電気かみそり。
【０１４６】
肌弾力測定手段４０の測定結果に基づいてモーター１６の回転数が制御される電気かみそりによれば、ユーザーは、モーター１６の駆動音の高低の変化に基づいて、自身の肌弾力の大きさを知ることができる。このように、ユーザーに自身の肌弾力を知らせると、肌弾力に見合った力で外刃１３を押し付けるようにユーザーに促すことができる。特に、肌弾力の小さい部分は、外刃１３を押し付けたときに顔肌が外刃１３の孔に入り込み易く、入り込んだ部分が外刃１３と内刃１４に挟まれて大きなダメージを受けるおそれがある。上記のように、ユーザーに自身の肌弾力を知らせると、肌弾力の小さい部分に外刃１３を強く押し付けないようにユーザーに働きかけて、当該部分が外刃１３と内刃１４から受けるダメージを抑制することができる。さらに、肌弾力の小さい部分でモーター１６の回転数を自動的に下げるので、外刃１３の孔に入り込んだ顔肌が内刃１４から受けるダメージを小さくすることができる。
【０１４７】
グリップを兼ねる本体ケース１０と、本体ケース１０の上部で支持されるかみそりヘッド１１を備える電気かみそりであって、
かみそりヘッド１１は、外刃１３と、外刃１３に摺接する内刃１４と、肌弾力を測定する肌弾力測定手段４０を備えており、
肌弾力測定手段４０が外刃１３に隣接した位置に設けられていることを特徴とする電気かみそり。
【０１４８】
肌弾力を測定する肌弾力測定手段４０を備える電気かみそりによれば、ユーザーに自身の肌弾力を知らせて、肌弾力に見合った力で外刃１３を押し付けるように促すことができる。特に、肌弾力の小さい部分に外刃１３を強く押し付けないようにユーザーに働きかけて、当該部分が内刃１４から受けるダメージを抑制することができる。また、外刃１３に隣接した位置に肌弾力測定手段４０を設けると、ユーザーが外刃１３を肌面に当てたときに、無意識のうちに肌弾力測定手段４０が肌面に当接するので、ユーザーにとっての使い勝手が向上する。
【０１４９】
（実施例３）  実施例３は、本発明を顔肌用の美容器具とスマートフォンの連動システムに適用したものである。図２０に示すように、スマートフォン（表示装置）５の構成は先の実施例１と同様である。美容器具（小型電気機器）２は、縦長の本体ケース３０と、本体ケース３０の上部正面に突設された肌電極（機能部）３２とを備える。本体ケース３０の下側の過半部はグリップを構成しており、その表面には左右一対のグリップ電極３３と、内方へ押し込み可能なスイッチボタン３５とが設けられている。本体ケース３０の内部には、縦長の制御基板３７と、美容器具２の全体の電力源である二次電池（電池）３８とが収容されている。制御基板３７に駆動スイッチ（操作スイッチ）２１、加速度センサ２２、ジャイロセンサ２３、通信インターフェース２４および制御部２５などが実装される点は、先の実施例１と同様である。
【０１５０】
美容器具２のイオン導出モードにおいては、肌電極３２にプラス極性のパルス電流が供給され、グリップ電極３３にマイナス極性のパルス電流が供給される。イオン導出モードに設定した美容器具２の肌電極３２の外面に、化粧水を含浸した綿マットを装着し、この綿マットを顔肌に沿ってゆっくりと滑らせると、顔肌のしわ、ひだ、毛穴などに入り込んでいる微細な汚れを落とすことができる。一方、イオン導入モードにおいては、肌電極３２にマイナス極性のパルス電流が供給され、グリップ電極３３にプラス極性のパルス電流が供給される。イオン導入モードに設定した美容器具２の肌電極３２の外面に、化粧水を含浸した綿マットを装着し、この綿マットを顔肌に沿ってゆっくりと滑らせると、化粧水を肌面に浸透させて保湿効果を高めることができる。
【０１５１】
本実施例に係るスマートフォン５のメモリ６１にも、ユーザーによる美容器具２の使用を補助するアプリケーションプログラムである補助アプリが格納されている。実施例１と実施例３の補助アプリを比較すると、特にイラスト付加手段の内容が大きく異なる。ここでのイラスト付加手段は、ユーザーによる美容処理が進行するに従って、ディスプレイ５２に映るユーザーの顔領域の見た目が美しくなるように補助イラスト７０を付加する。例えば、美容処理を開始する前のアプリ起動直後に、濃いシミやそばかすを表す未処理イラスト７１を顔領域に付加し、美容処理の進行に従って未処理イラスト７１を徐々に薄くする。あるいはアプリ起動直後に、質素なアクセサリを表す補助イラスト７０を顔領域に付加し、美容処理の進行に従って、より豪華なアクセサリを表す補助イラスト７０に変更する。
【０１５２】
本実施例の補助アプリは、実施例１と同様のミラー化手段、動画静止手段、照明制御手段、ズーム制御手段および説明書表示手段を備えるが、反転指示手段は省略されている。機器状態報知手段は、美容器具２の機器状態として電池残量表示７５と時間表示７９をディスプレイ５２に表示させる。電気機器制御手段は、肌電極３２とグリップ電極３３へのパルス電流の供給をオンオフ操作するための駆動ボタン８２と、美容器具２のタイマー機能に関係なくパルス電流を供給状態にロックするためのロックボタン８３と、パルス電流の強度を変更するための電流刺激レバー（実施例１の回転数レバー８１に相当）とをディスプレイ５２に表示させる。他は実施例１と同様であるので、同じ部材に同じ符号を付してその説明を省略する。
【０１５３】
以上のように、本発明の各実施例に係る連動システムでは、通信インターフェース２４・６４を介して電気かみそり１または美容器具２とスマートフォン５を接続し、ユーザーが電気かみそり１または美容器具２の駆動スイッチ２１を操作すると、スマートフォン５の補助アプリがバックグラウンドで起動するようにした。補助アプリが起動すると、ディスプレイ５２にプッシュ通知が表示されるため、ユーザーはこの通知をタップするだけでの簡単な操作で、ディスプレイ５２を補助アプリの画面に切り換えることができる。上記の各実施例に係る連動システムによれば、ユーザーが電気かみそり１または美容器具２とスマートフォン５の併用を開始する際のスマートフォン５の操作を簡略化して、ユーザーの利便性を向上させることができる。
【０１５４】
表示装置５は、汎用のモバイルオペレーティングシステムが搭載されたスマートフォン以外に、小型電気機器１・２との連動に特化した専用のオペレーティングシステムが搭載された装置であってもよい。この場合は、ユーザーが小型電気機器１・２の操作スイッチ２１を操作すると、表示装置５の補助機能が起動するだけでなく、ディスプレイ５２が直ちに補助機能の画面に切り換わるようにオペレーティングシステムを設計して、ユーザーの利便性をさらに向上させることができる。表示装置５のディスプレイ５２は、電流を流すことで反射率が上昇する素材を含むことができ、この場合はカメラ５３を使用しなくても、ディスプレイ５２に電流を流すだけでこれをミラー化できる。
【０１５５】
本発明においてミラー化手段は必須のものではなく、例えば機器状態報知手段や電気機器制御手段だけで表示装置５の補助機能を構成してもよい。表示装置５の補助機能を起動させる操作スイッチ２１は、小型電気機器１・２を駆動する駆動スイッチに限られず、駆動スイッチとは別に小型電気機器１・２に設けられた専用のスイッチであってもよい。小型電気機器１・２および表示装置５の通信インターフェース２４・６４は有線インターフェースであってもよい。
【０１５６】
上記の各実施例に係る連動システムは、以下の形態で実施することができる。
【０１５７】
人体に対する機能部１２・３２を有する小型電気機器１・２と、表示部５２を有する携帯型の表示装置５を連動させる連動システムであって、
小型電気機器１・２と表示装置５は、互いの接続を確立するための通信インターフェース２４・６４をそれぞれ備えており、
表示装置５は、表示部５２を用いて小型電気機器１・２の使用を補助する補助機能を備えており、
通信インターフェース２４・６４を介して補助機能を起動させる操作スイッチ２１が小型電気機器１・２に設けられていることを特徴とする連動システム。
【０１５８】
上記の本発明に係る連動システムでは、通信インターフェース２４・６４を介して小型電気機器１・２と表示装置５を接続し、ユーザーが小型電気機器１・２の操作スイッチ２１を操作すると、表示装置５において小型電気機器１・２の使用を補助する補助機能が起動するようにした。このように、小型電気機器１・２の側から表示装置５の補助機能を起動できるようにすると、ユーザーが小型電気機器１・２と表示装置５の併用を開始する際の表示装置５の操作を簡略化して、ユーザーの利便性を向上させることができる。すなわち、小型電気機器１との連動に特化した専用のオペレーティングシステムが搭載された表示装置５においては、表示装置５を操作することなく、小型電気機器１・２の側から補助機能の起動操作を行うだけで、補助機能による表示を表示部５２に表示させることができる。また、補助機能を発揮する補助アプリがアプリケーションプログラムの１つとして格納された携帯通信端末などの表示装置５においては、小型電気機器１・２の操作スイッチ２１が操作されると補助アプリがバックグラウンドで起動するので、表示装置５の側では、表示部５２を補助アプリの画面に切り換えるだけの簡単な操作を行うだけでよい。
【０１５９】
表示装置５の補助機能を起動させる操作スイッチが、小型電気機器１・２の機能部１２・３２を駆動するための駆動スイッチ２１である連動システム。
【０１６０】
表示装置５の補助機能を起動させる操作スイッチが、小型電気機器１・２の機能部１２・３２を駆動するための駆動スイッチ２１であると、ユーザーは機能部１２・３２の駆動と補助機能の起動を同時に、しかもワンタッチ（駆動スイッチ２１に触れてから１つの操作）で行えるので、ユーザーの利便性が向上する。
【０１６１】
小型電気機器１・２および表示装置５の通信インターフェース２４・６４が、近距離無線通信に対応した無線インターフェースである連動システム。
【０１６２】
小型電気機器１・２および表示装置５の通信インターフェース２４・６４が、近距離無線通信に対応した無線インターフェースであると、これが有線インターフェースである場合に不可欠な通信ケーブルを省略できるので、通信ケーブルが物に引っ掛かるなどの不都合や通信ケーブルを携行する煩わしさを解消できる。
【０１６３】
表示装置５の補助機能は、表示部５２を鏡として利用可能にするミラー化手段を含む連動システム。
【０１６４】
表示装置５の補助機能が、表示部５２を鏡として利用可能にするミラー化手段を含んでいると、小型電気機器１・２の使用時に表示装置５を手鏡の代用として利用できるので、外出時に小型電気機器１・２と共に手鏡を常に携行する煩わしさを解消できる。
【０１６５】
表示装置５の正面５１に表示部５２とカメラ５３が配置されており、
ミラー化手段が、カメラ５３で撮影した動画を表示部５２にリアルタイムに映すように構成してある連動システム。
【０１６６】
カメラはスマートフォンなど多くの表示装置５に予め備わっている。従ってミラー化手段が、カメラ５３で撮影した動画を表示部５２にリアルタイムに映すように構成してあると、表示装置５の既存のハードウェアを利用することで、連動システムの全体コストを削減できる。
【０１６７】
表示装置５がカメラ５３のズーム機能を備える連動システム。
【０１６８】
表示装置５がカメラ５３のズーム機能を備えていると、ユーザーが顔をカメラ５３に近付けたり遠ざけたりしなくても、ズーム機能を制御してカメラ５３のズーム倍率を変更するだけで、表示部５２に映る顔の範囲を変更できるようにして、ユーザーの利便性を向上させることができる。
【０１６９】
カメラ５３のズーム機能が、ユーザーによる小型電気機器１・２の操作に連動して制御される連動システム。
【０１７０】
小型電気機器１・２と手鏡の代わりの表示装置５とを同時に使用する場合、多くのユーザーは利き手で小型電気機器１・２を持つため、表示装置５よりも小型電気機器１・２を操作しやすい状態にある。従って、ユーザーによる小型電気機器１・２の操作に連動してカメラ５３のズーム機能が制御されるようにすると、ユーザーはカメラ５３のズーム倍率をスムーズに変更できる。
【０１７１】
カメラ５３のズーム機能が、ユーザーによる小型電気機器１・２の移動操作に連動して制御される連動システム。
【０１７２】
電気かみそりや美容器具などの小型電気機器１・２を通常の方法で使用する場合は、顔肌に沿って小型電気機器１・２を移動させるなどの移動操作を伴う。従って、カメラ５３のズーム機能が小型電気機器１・２の移動操作に連動して制御されるようにすると、ユーザーがズーム制御のための特定の操作を行わなくても、ズーム倍率が自動的に変更されるので、ユーザーによるズーム操作の手間を省くことができる。
【０１７３】
カメラ５３のズーム機能が、小型電気機器１・２の機能部１２・３２に正対するユーザーの顔の部位に応じて制御される連動システム。
【０１７４】
電気かみそりや美容器具などの小型電気機器１・２による顔肌の処理は、顔の全体に対して一様に行われるものではなく、比較的大まかに処理される部位と、逆に慎重に処理される部位とが存在する。従って、カメラ５３のズーム機能を、小型電気機器１・２の機能部１２・３２に正対するユーザーの顔の部位、すなわち、ユーザーが機能部１２・３２で処理しようとする顔の部位に応じて制御すると、カメラ５３のズーム倍率を当該部位に適した値に自動的に変更することが可能となり、ユーザーの利便性がさらに向上する。
【０１７５】
カメラ５３のズーム機能が、ユーザーによる表示装置５の移動操作に連動して制御される連動システム。
【０１７６】
表示装置５の移動操作に連動してカメラ５３のズーム機能を制御すると、ユーザーは表示装置５を移動させるだけの簡単な操作で、カメラ５３のズーム倍率を変更できる。小型電気機器１・２と手鏡の代わりの表示装置５とを同時に使用する場合は、表示装置５を利き手と反対の手で持つことが多いが、表示装置５を移動操作するだけであれば、利き手と反対の手であっても容易にズーム操作を行える。
【０１７７】
表示装置５が、カメラ５３により撮影された動画から顔領域を検出する顔認識機能を備えており、
カメラ５３のズーム機能が、顔認識機能により認識された顔領域の表情に応じて制御される連動システム。
【０１７８】
カメラ５３のズーム機能が、顔認識機能により認識された顔領域の表情に応じて制御されるようにすると、ユーザーはカメラ５３に映る表情を変えるだけで、カメラ５３のズーム倍率を変更できる。従って、ズーム倍率を変更するための小型電気機器１・２または表示装置５の操作を省略して、ユーザーの利便性を向上させることができる。
【０１７９】
表示装置５の補助機能は、表示部５２に映る顔領域に補助イラスト７０を付加するイラスト付加手段を含み、
補助イラストは、機能部１２・３２による処理が終わっていないことを示す未処理イラスト７１と、機能部１２・３２による処理が終わったことを示す処理済イラスト７２のうち、少なくとも１つを含み、
イラスト付加手段が、機能部１２・３２による処理の進行に応じて、表示部５２に映す補助イラスト７０を変更する連動システム。
【０１８０】
表示部５２に映る顔領域に、未処理イラスト７１や処理済イラスト７２などの補助イラスト７０を付加すると、単調になりがちな機能部１２・３２による処理にゲーム的な要素を加えることができ、ユーザーは機能部１２・３２による処理を楽しみながら行えるようになる。また、表示部５２の顔領域から全ての未処理イラスト７１が消えるまで、あるいは、被処理部分の全体に処理済イラスト７２が付加されるまで、機能部１２・３２による処理を続けることをユーザーに促して、部分的な処理不足が生じることを防止できる。
【０１８１】
小型電気機器１が除毛器であり、
補助イラスト７０が、誇張された体毛を表す未処理イラスト７１を含み、
イラスト付加手段は、機能部１２による除毛処理が開始される前に、表示部５２に映る顔領域に未処理イラスト７１を付加し、機能部１２が所定回数通過した顔領域の部分から順に未処理イラスト７１を消去する連動システム。
【０１８２】
補助イラスト７０が誇張された体毛を表す未処理イラスト７１を含むものとし、機能部１２による除毛処理が開始される前に、表示部５２に映る顔領域に未処理イラスト７１を付加し、機能部１２が所定回数通過した顔領域の部分から順に未処理イラスト７１を消去する。これによれば、ユーザーは除毛処理を楽しみながら行うことができ、しかも、顔領域から全ての未処理イラスト７１が消去されるまで除毛処理を続けることをユーザーに促して、部分的な処理不足が生じることを防止できる。ユーザーは、表示部５２から全ての未処理イラスト７１が消去されたときに、顔の全体の除毛処理が終わったことを確認できる。
【０１８３】
小型電気機器２が顔肌用の美容器具であり、
補助イラスト７０が、表示部５２に映る顔領域の見た目の美しさを変化させるものであり、
イラスト付加手段は、機能部３２による美容処理が進行するのに従って、顔領域の見た目が美しくなるように、顔領域に付加する補助イラスト７０を変更する連動システム。
【０１８４】
補助イラスト７０が顔領域の見た目の美しさを変化させるものとし、機能部３２による美容処理が進行するに従って、顔領域の見た目が美しくなるように、顔領域に付加する補助イラスト７０を変更する。これによれば、ユーザーは美容処理を楽しみながら行うことができ、しかも、顔領域の見た目が美しくなるまで美容処理を続けることをユーザーに促して、部分的な処理不足が生じることを防止できる。
【０１８５】
表示装置５の補助機能は、表示部５２に映る動画を静止させる動画静止手段を含む連動システム。
【０１８６】
表示部５２に映る動画を静止させる動画静止手段によれば、ユーザーはチェックしたい顔の部位をカメラ５３に映した状態で動画を静止させ、静止状態の表示部５２を顔の正面などの目視し易い位置に移動させることで、当該部位のチェックを容易に行うことができる。特に、通常の手鏡ではチェックし難い顎下などの部位であっても、容易にそのチェックを行うことができる。
【０１８７】
小型電気機器１・２の機能部１２・３２の停止操作に連動して、動画静止手段が表示部５２に映る動画を静止させる連動システム。
【０１８８】
表示部５２に映る動画を静止させてチェックを行う際は、機能部１２・３２による処理を中断するのが普通であり、チェックの間も機能部１２・３２を駆動し続けることは、消費電力を増大させるなど無駄が多い。本発明のように機能部１２・３２の停止操作に連動して動画を静止させると、動画の静止中に機能部１２・３２を停止させて、上記の無駄が生じるのを防止できる。また、動画を静止させる操作と機能部１２・３２を停止させる操作を個別に行うことを不要として、ユーザーの手間を削減することができる。さらに、動画の静止中に機能部１２・３２を停止させると、ユーザーは機能部１２・３２の駆動音を気にすることなく、落ち着いた状態で静止画をチェックできる。
【０１８９】
動画静止手段が動画を静止させてから所定時間が経過すると、表示装置５の表示部５２が消灯する連動システム。
【０１９０】
動画を静止させてから所定時間が経過すると、表示装置５の表示部５２が消灯するようにしていると、ユーザーが小型電気機器１・２の使用を終了してこれを停止させた後、表示部５２を消灯しなかった場合に、表示部５２を点灯し続ける無駄を防止して、表示装置５の消費電力を削減することができる。
【０１９１】
小型電気機器１が電気かみそりであり、
通常姿勢における表示装置５の正面５１の上部にカメラ５３が配置されており、
表示装置５の補助機能は、表示装置５の上下反転をユーザーに指示する反転指示手段を含む連動システム。
【０１９２】
表示装置５の上部にカメラ５３が位置する通常姿勢よりも、表示装置５の下部にカメラ５３が位置する反転姿勢とした方が、ひげが生える顔の下部、特に顎下部分を撮影しやすくなる。そのため、ひげ剃りの際に表示部５２を手鏡のように利用する場合は、表示装置５を反転姿勢とする方が好ましい。表示装置５の上下反転をユーザーに指示する反転指示手段によれば、ひげ剃りの際に表示装置５を反転姿勢とするようにユーザーに働きかけて、顎下部分などのひげ剃りを快適に行わせることができる。
【０１９３】
反転指示手段が、上下逆さまの反転文字を表示部５２に表示させるものである連動システム。
【０１９４】
反転指示手段として、上下逆さまの反転文字を表示部５２に表示させると、表示装置５の上下反転が必要であることをユーザーに対して直感的に理解させて、より確実に反転姿勢を採らせることができる。
【０１９５】
反転指示手段が、上下反転を指示する文字または記号を表示部５２に表示させるものである連動システム。
【０１９６】
反転指示手段として、上下反転を指示する文字や記号を表示部５２に表示させると、表示装置５の上下反転が必要であることをユーザーに対して明白に伝えて、より確実に反転姿勢を採らせることができる。
【０１９７】
反転指示手段が、表示部５２に映る動画を上下反転させるものである連動システム。
【０１９８】
反転指示手段として、表示部５２に映る動画を上下反転させると、通常姿勢のままでは表示部５２が手鏡として使い物にならないため、ユーザーが反転姿勢を採ることがより確実になる。
【０１９９】
表示装置５の補助機能は、小型電気機器１・２の機器状態を表示部５２に表示させる機器状態報知手段を含む連動システム。
【０２００】
小型電気機器１・２の機器状態を表示装置５の表示部５２に表示すると、ユーザーは、小型電気機器１・２を目視し難い同機器１・２の使用中においても、表示部５２を目視して小型電気機器１・２の機器状態を容易に確認できる。
【０２０１】
表示部５２に表示される機器状態は、小型電気機器１・２の電池残量を含む連動システム。
【０２０２】
小型電気機器１・２の電池残量を表示部５２に表示すると、ユーザーは小型電気機器１・２の使用中において、その電池残量を容易かつ頻繁に確認できる。特に、電池１８・３８の充電や交換が難しい外出先において、電池残量が少ない場合に、そのことをユーザーに即座に知らせて、電池残量が無くなる前に小型電気機器１・２の使用を完了するようユーザーに促すことができる。
【０２０３】
小型電気機器１が電気かみそりであり、
表示部５２に表示される機器状態は、機能部１２を構成する切断刃１３・１４の交換時期を含む連動システム。
【０２０４】
切断刃１３・１４の交換時期を表示部５２に表示すると、交換時期が近いことをユーザーに確実に知らせて、切断刃１３・１４の早期の交換を促すことができる。従って、ユーザーが切れ味の低下した切断刃１３・１４を使用し続けるという事態の発生を抑えることができる。
【０２０５】
小型電気機器１が電気かみそりであり、
表示部５２に表示される機器状態は、機能部１２の洗浄時期を含む連動システム。
【０２０６】
機能部１２の洗浄時期を表示部５２に表示すると、洗浄時期が近いことをユーザーに確実に知らせて、機能部１２の早期の洗浄を促すことができる。これにより、機能部１２を衛生的な状態に維持して、有機物の酸化や発酵に伴う異臭の発生を抑えることができる。また、機能部１２に過剰に溜まった毛屑等は、モーター１６の負荷が増大する原因となるため、機能部１２を早期に洗浄して毛屑等を取り除くと、モーター１６の寿命を改善することができる。
【０２０７】
小型電気機器１が電気かみそりであり、
表示部５２に表示される機器状態は、機能部１２に作用する負荷の大きさを含む連動システム。
【０２０８】
ユーザーが機能部１２を肌面に押し付ける力の強さと、機能部１２に作用する負荷の大きさには相関関係があり、押付力が強くなるほど負荷も大きくなる。従って、機能部１２の負荷の大きさを表示部５２に表示すると、その時の押付力の強さをユーザーに知らせることができる。ユーザーは、負荷の大きさをチェックしながらひげ剃りを行うことで、機能部１２の押付力を常に適度な強さに維持して、肌面にかかる負担を小さくすることができる。
【０２０９】
表示部５２に表示される機器状態は、小型電気機器１・２の連続使用時間を含む連動システム。
【０２１０】
小型電気機器１・２を長時間連続して使用することは、発熱が大きくなるなどの不都合を招くことがある。従って、小型電気機器１・２の連続使用時間を表示部５２に表示すると、長時間の連続使用を避けるようにユーザーに注意を促すことができる。
【０２１１】
表示装置５がバイブレータ５９を備えており、
機器状態報知手段は、小型電気機器１・２の機器状態が所定の条件を満たした場合にバイブレータ５９を駆動させる連動システム。
【０２１２】
小型電気機器１・２の機器状態が所定の条件を満たした場合にバイブレータ５９を駆動させると、表示部５２でユーザーの視覚に訴えるだけでなく、バイブレータ５９で触覚あるいは聴覚にも訴えることができるので、所定の条件を満たしたことをユーザーに対してより確実に知らせることができる。
【０２１３】
表示装置５が照明装置５６を備えており、
補助機能の起動時に照明装置５６が点灯する連動システム。
【０２１４】
補助機能の起動時に、表示装置５が備える照明装置５６を点灯させると、補助機能が起動したことをユーザーに明確に知らせることができる。なお、表示装置５の同じ側にカメラ５３と照明装置５６を配置すると、薄暗い場所で小型電気機器１・２と表示装置５を使用する場合に、カメラ５３の撮影対象を照明装置５６で照らすことができる。従って、小型電気機器１・２と表示装置５を使用する場所の明るさにかかわらず、表示部５２に鮮明な動画を映して、ユーザーの利便性を向上させることができる。
【０２１５】
表示装置５の補助機能は、通信インターフェース２４・６４を介して小型電気機器１・２の機能部１２・３２を制御する電気機器制御手段を含む連動システム。
【０２１６】
表示装置５の側から通信インターフェース２４・６４を介して小型電気機器１・２の機能部１２・３２を制御できるようにすると、ユーザーは小型電気機器１・２と表示装置５の両方から機能部１２・３２を制御操作できるので、ユーザーの利便性が向上する。
【０２１７】
電気機器制御手段は、小型電気機器１・２の機能部１２・３２を駆動状態に維持するロック機能を含む連動システム。
【０２１８】
小型電気機器１・２の機能部１２・３２を駆動状態に維持するロック機能によれば、ユーザーによる小型電気機器１・２の誤操作や、ユーザーの意思に反するタイマーの作動により、機能部１２・３２が停止するのを解消できるので、ユーザーはより快適に小型電気機器１・２を使用できる。
【０２１９】
電気機器制御手段は、表示装置５の変位操作に連動して、小型電気機器１・２の機能部１２・３２の出力を制御する連動システム。
【０２２０】
表示装置５の変位操作に連動して、小型電気機器１・２の機能部１２・３２の出力を制御できるようにすると、ユーザーは、表示装置５をボタン操作する場合などに比べて、より素早く機能部１２・３２の出力を制御できるので、ユーザーの利便性が向上する。
【０２２１】
小型電気機器１が、モーター１６を駆動源とする電気かみそりであり、
モーター１６の回転数が電気機器制御手段により制御される連動システム。
【０２２２】
表示装置５の変位操作に連動して、電気かみそり１の駆動源であるモーター１６の回転数を制御できるようにすると、ユーザーは、例えば鼻下のひげを剃るときはモーター１６を低速にするなど、機能部１２が正対する部位に応じて、ユーザーの意思でモーター１６回転数を素早く変更できるので、ユーザーの利便性がより向上する。
【０２２３】
表示装置５の補助機能は、小型電気機器１・２の取扱説明書を表示部５２に表示させる説明書表示手段を含む連動システム。
【０２２４】
小型電気機器１・２の取扱説明書を表示部５２に表示させる説明書表示手段によれば、ユーザーは、小型電気機器１・２の使い方などを確認したい場合に、取扱説明書を直ちに表示部５２に表示させて、これを読むことができる。取扱説明書の冊子を持ち出す手間を省いて、ユーザーの利便性を向上させることができる。
【符号の説明】
【０２２５】
１  小型電気機器（電気かみそり）
２  小型電気機器（美容器具）
５  表示装置（スマートフォン）
１２  機能部
１３  切断刃（外刃）
１４  切断刃（内刃）
１６  モーター
２１  操作スイッチ（駆動スイッチ）
３２  機能部（肌電極）
５２  表示部（ディスプレイ）
５３  カメラ
５６  照明装置（ＬＥＤ）
５９  バイブレータ
７０  補助イラスト
７１  未処理イラスト
７２  処理済イラスト
【図１】
2018182626.tif 000003
【図２】
2018182626.tif 000004
【図３】
2018182626.tif 000005
【図４】
2018182626.tif 000006
【図５】
2018182626.tif 000007
【図６】
2018182626.tif 000008
【図７】
2018182626.tif 000009
【図８】
2018182626.tif 000010
【図９】
2018182626.tif 000011
【図１０】
2018182626.tif 000012
【図１１】
2018182626.tif 000013
【図１２】
2018182626.tif 000014
【図１３】
2018182626.tif 000015
【図１４】
2018182626.tif 000016
【図１５】
2018182626.tif 000017
【図１６】
2018182626.tif 000018
【図１７】
2018182626.tif 000019
【図１８】
2018182626.tif 000020
【図１９】
2018182626.tif 000021
【図２０】
2018182626.tif 000022
【手続補正書】
【提出日】平成29年11月8日(2017.11.8)
【手続補正１】
【補正対象書類名】明細書
【補正対象項目名】００１１
【補正方法】変更
【補正の内容】
【００１１】
小型電気機器１・２および表示装置５の通信インターフェース２４・６４が、近距離無線通信に対応した無線インターフェースである形態を採ることができる。本発明における近距離無線通信の一例としては、２．４ＧＨｚの周波数帯を利用するBluetooth（登録商標）、Ｗｉ−Ｆｉ（登録商標）、ＺｉｇＢｅｅ（登録商標）などを挙げることができるが、消費電力が比較的小さい点や、表示装置５の一種であるスマートフォンの多くが対応している点から、Bluetoothが最も好ましい。